(57)【要約】  隣接セルの干渉がない状態の、自セルの回線品質を精度良く測定すること。本発明の無線通信端末は、基地局と接続され、前記基地局とデータを送受信する無線通信端末であって、前記基地局から、自セルの回線品質を測定するための制御情報を含む信号を受信する受信部と、前記受信部で受信した前記信号から、前記制御情報を抽出する抽出部と、前記制御情報に基づき、隣接セルが信号を送信していない領域において、自セルの回線品質を測定する測定部と、前記測定部で測定した、前記自セルの回線品質の測定結果を、前記基地局へ送信する送信部と、を備える。
2010131487.tif 000002
【特許請求の範囲】
【請求項１】
基地局と接続され、前記基地局とデータを送受信する無線通信端末であって、
前記基地局から、自セルの回線品質を測定するための制御情報を含む信号を受信する受信部と、
前記受信部で受信した前記信号から、前記制御情報を抽出する抽出部と、
前記制御情報に基づき、隣接セルが信号を送信していない領域において、自セルの回線品質を測定する測定部と、
前記測定部で測定した、前記自セルの回線品質の測定結果を、前記基地局へ送信する送信部と、を備える無線通信端末。
【請求項２】
請求項１に記載の無線通信端末であって、
前記測定部は、前記制御情報に基づき、前記隣接セルである中継局が信号を送信していない領域において、前記自セルの回線品質を測定する無線通信端末。
【請求項３】
請求項２に記載の無線通信端末であって、
前記測定部は、前記制御情報に基づき、前記隣接セルである前記中継局がバックホールとして用いるＭＢＳＦＮサブフレームにおいて、前記自セルの回線品質を測定する無線通信端末。
【請求項４】
請求項３に記載の無線通信端末であって、
前記測定部は、前記制御情報に基づき、前記隣接セルである前記中継局がバックホールとして用いるＭＢＳＦＮサブフレームにおいて、先頭２シンボルを除いた３シンボル目以降の領域で、前記自セルの回線品質を測定する無線通信端末。
【請求項５】
請求項１に記載の無線通信端末であって、
前記測定部は、前記制御情報に基づき、隣接セルが信号を送信していない領域において、前記自セルの回線品質を複数回測定し、平均化する無線通信端末。
【請求項６】
請求項１に記載の無線通信端末であって、
更に、前記測定部で測定した前記自セルの回線品質から最も高品質な自セルの回線品質を検出する検出部を備える、無線通信端末。
【請求項７】
請求項６に記載の無線通信端末であって、
前記測定部は、前記制御情報に基づき、前記隣接セルである複数の前記中継局がバックホールとして用いるＭＢＳＦＮサブフレームの先頭２シンボルを除いた３シンボル目以降の領域で、前記自セルの回線品質を測定し、
前記検出部は、前記測定部で測定した前記自セルの回線品質から最も高品質な自セルの回線品質を検出する、無線通信端末。
【請求項８】
基地局と接続され、前記基地局とデータを送受信する無線通信端末で用いられる通信方法であって、
前記基地局から、自セルの回線品質を測定するための制御情報を含む信号を受信し、
受信した前記信号から、前記制御情報を抽出し、
前記制御情報に基づき、隣接セルが信号を送信していない領域において、自セルの回線品質を測定し、
測定した前記自セルの回線品質の測定結果を、前記基地局へ送信する、
通信方法。
【発明の詳細な説明】
【技術分野】
【０００１】
本発明は、基地局とデータを送受信する無線通信端末及び通信方法に関する。
【背景技術】
【０００２】
移動通信の国際的な標準化団体である３ＧＰＰ  （３ｒｄ  Ｇｅｎｅｒａｔｉｏｎ  Ｐａｒｔｎｅｒｓｈｉｐ  Ｐｒｏｊｅｃｔ）において、第４世代の移動通信システムとしてＬＴＥ−Ａｄｖａｎｃｅｄ（Ｌｏｎｇ  Ｔｅｒｍ  Ｅｖｏｌｕｔｉｏｎ−Ａｄｖａｎｃｅｄ、ＬＴＥ−Ａ）の標準化が開始された。ＬＴＥ−Ａでは、非特許文献１のように、カバレッジの拡大やキャパシティの向上を目的として、中継局（Ｒｅｌａｙ  Ｎｏｄｅ）を用いて無線信号を中継するＲｅｌａｙ技術が検討されている。【０００３】
ここで、図２０を参照し、Ｒｅｌａｙ技術について説明する。図２０は、Ｒｅｌａｙ技術を用いて無線信号を中継する無線通信システムを示す図である。図２０において、ｅＮＢは基地局、ＲＮは中継局、ＵＥは無線通信端末をそれぞれ示す。また、ＵＥ１はｅＮＢに接続する無線通信端末、ＵＥ２はＲＮに接続する無線通信端末をそれぞれ示す。【０００４】
ＬＴＥ−Ａでは、ＲＮもｅＮＢと同様に、個別のセルＩＤを持つことが検討されており、これにより、ＵＥからみると、ＲＮもｅＮＢと同様に、１つのセルとみなすことができる。ｅＮＢは有線通信でネットワークに接続し、一方、ＲＮは無線通信でｅＮＢと接続している。ＲＮとｅＮＢとを接続する通信回線は、バックホール（ｂａｃｋｈａｕｌ）回線と呼ばれている。これに対して、ｅＮＢ又はＲＮとＵＥとを接続する通信回線は、アクセス（ａｃｃｅｓｓ）回線と呼ばれている。【０００５】
下り回線では、例えば、図２０に示すように、ＲＮは、バックホール回線においてｅＮＢからの信号を受信（図中、矢印Ａ）して、ＲＮのアクセス回線においてＵＥ２に対して信号を送信（図中、矢印Ｂ）する。バックホール回線とアクセス回線とを同一の周波数帯域の中に収容する場合、ＲＮが送受信を同時に行うと回り込みによる干渉が発生する。そのため、ＲＮは送受信を同時に行うことができない。したがって、ＬＴＥ−Ａでは、バックホール回線とＲＮのアクセス回線とを、時間領域（サブフレーム単位）で分割して割当てるＲｅｌａｙ方式が検討されている。【０００６】
図２１を参照し、上述したＲｅｌａｙ方式について説明する。図２１は、Ｒｅｌａｙ方式における下り回線のサブフレーム構成を示す図である。図中の記号［ｎ、ｎ＋１、・・・］はサブフレーム番号を示し、図中のボックスは下り回線のサブフレームを示している。また、ｅＮＢの送信サブフレーム（図中、網掛け部）、ＵＥ１の受信サブフレーム（図中、空白部）、ＲＮの送信サブフレーム（図中、右斜線部）、ＵＥ２の受信サブレーム（図中、左斜線部）を示している。【０００７】
図２１の矢印（太線）で示すように、ｅＮＢから、全てのサブフレーム［ｎ、ｎ＋１、・・・、ｎ＋６］において信号が送信されている。また、図２１の矢印（太線）又は矢印（破線）で示すように、ＵＥ１では全てのサブフレームにおいて受信することができる。一方で、図２１の矢印（破線）又は矢印（細線）で示すように、ＲＮでは、サブフレーム番号［ｎ＋２、ｎ＋６］を除いたサブフレームにおいて信号が送信されている。また、図２１の矢印（細線）で示すように、ＵＥ２では、サブフレーム番号［ｎ＋２、ｎ＋６］を除いたサブフレームにおいて信号を受信することができる。そして、ＲＮは、サブフレーム番号［ｎ＋２、ｎ＋６］のサブフレームにおいて、ｅＮＢからの信号を受信する。つまり、ＲＮでは、サブフレーム番号［ｎ＋２、ｎ＋６］のサブフレームがバックホール回線となり、それ以外のサブフレームがＲＮのアクセス回線となる。【０００８】
しかしながら、ＲＮがバックホールとなるサブフレーム［ｎ＋２、ｎ＋６］において、ＲＮがｅＮＢから信号を送信しないと、ＲＮの存在をしらないＬＴＥの無線通信端末において、ＲＮの品質を測定するメジャメント動作が機能しなくなるという問題が発生する。上記問題を解決する方法として、ＬＴＥ−Ａでは、ＬＴＥにおいて規定されているＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームを用いることが検討されている。【０００９】
ＭＢＳＦＮサブフレームは、将来的にＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）サービスを実現するために用意されているサブフレームである。ＭＢＳＦＮサブフレームでは、先頭２シンボルでセル固有の制御情報を送信し、３シンボル目以降の領域でＭＢＭＳ用の信号を送信する仕様になっている。そのため、ＬＴＥの無線通信端末は、ＭＢＳＦＮサブフレームでは、先頭２シンボルを使ってメジャメントを行うことができる。【００１０】
ＭＢＳＦＮサブフレームは、ＲＮセルにおいて擬似的に用いることができる。つまり、ＲＮセルにおいて、ＭＢＳＦＮサブフレームの先頭２シンボルでは、ＲＮセル固有の制御情報を送信し、３シンボル目以降の領域では、ＭＢＭＳ用のデータを送信しないで、ｅＮＢからの信号を受信する。このため、ＲＮセルにおいて、ＭＢＳＦＮサブフレームをバックホール回線の受信サブフレームとして用いることができる。以下、上述したように、ＲＮセルにおいて擬似的に用いたＭＢＳＦＮサブフレームを、「ＲＮがバックホールとして用いるＭＢＳＦＮサブフレーム」と呼ぶ。【００１１】
ここで、図２１におけるＲＮのサブフレーム［ｎ＋２、ｎ＋６］では、ＲＮから信号が送信されないので、ＵＥ１にとっては、ＲＮからの干渉がなくなり、ＳＩＲ（信号対干渉電力比）が改善する。ｅＮＢは、ＳＩＲが改善するＵＥを、サブフレーム［ｎ＋２、ｎ＋６］において積極的に割当てて、ＵＥにおけるユーザスループットが向上し、これによりセル全体のスループットが向上する。そこで、セル全体のスループットを向上させるために、ｅＮＢは、ＵＥにおける回線品質を知る必要がある。
【先行技術文献】
【非特許文献】
【００１２】
【非特許文献１】３ＧＰＰ  ＴＲ３６．８１４  ｖ０．４．１  （２００９−０２）  “Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”
【非特許文献２】３ＧＰＰ  ＴＳ３６．２１３  ｖ８．５．０  （２００８−１２）  “Ｐｈｙｓｉｃａｌ  ｌａｙｅｒ  ｐｒｏｃｅｄｕｒｅｓ  （Ｒｅｌｅａｓｅ  ８）”
【発明の概要】
【発明が解決しようとする課題】
【００１３】
しかしながら、ＬＴＥのＣＱＩ測定では、ｅＮＢ配下のＵＥ１は、ＣＱＩを測定するリソースにおいてＲＮからの干渉があると、ＲＮからの干渉がない場合のＣＱＩを精度良く測定できない。【００１４】
ここで、ＣＱＩ（Ｃｈａｎｎｅｌ  Ｑｕａｌｉｔｙ  Ｉｎｄｉｃａｔｏｒ）とは、受信側から見た受信回線の品質のことである。受信側から送信側にＣＱＩをフィードバックして、送信側がフィードバックされたＣＱＩに応じて、受信側に送信する信号の変調方式と符号化率を選択する。【００１５】
本発明の目的は、隣接セルの干渉がない状態の、自セルの回線品質を精度良く測定できる無線通信端末及び通信方法を提供することである。
【課題を解決するための手段】
【００１６】
本発明の無線通信端末は、基地局と接続され、前記基地局とデータを送受信する無線通信端末であって、前記基地局から、自セルの回線品質を測定するための制御情報を含む信号を受信する受信部と、前記受信部で受信した前記信号から、前記制御情報を抽出する抽出部と、前記制御情報に基づき、隣接セルが信号を送信していない領域において、自セルの回線品質を測定する測定部と、前記測定部で測定した、前記自セルの回線品質の測定結果を、前記基地局へ送信する送信部と、を備える。【００１７】
上記無線通信端末では、前記測定部は、前記制御情報に基づき、前記隣接セルである中継局が信号を送信していない領域において、前記自セルの回線品質を測定する。【００１８】
上記無線通信端末では、前記測定部は、前記制御情報に基づき、前記隣接セルである前記中継局がバックホールとして用いるＭＢＳＦＮサブフレームにおいて、前記自セルの回線品質を測定する。【００１９】
上記無線通信端末では、前記測定部は、前記制御情報に基づき、前記隣接セルである前記中継局がバックホールとして用いるＭＢＳＦＮサブフレームにおいて、先頭２シンボルを除いた３シンボル目以降の領域で、前記自セルの回線品質を測定する。【００２０】
上記無線通信端末では、前記測定部は、前記制御情報に基づき、隣接セルが信号を送信していない領域において、前記自セルの回線品質を複数回測定し、平均化する。【００２１】
上記無線通信端末では、更に、前記測定部で測定した前記自セルの回線品質から最も高品質な自セルの回線品質を検出する検出部を備える。【００２２】
上記無線通信端末では、前記測定部は、前記制御情報に基づき、前記隣接セルである複数の前記中継局がバックホールとして用いるＭＢＳＦＮサブフレームの先頭２シンボルを除いた３シンボル目以降の領域で、前記自セルの回線品質を測定し、前記検出部は、前記測定部で測定した前記自セルの回線品質から最も高品質な自セルの回線品質を検出する。
【発明の効果】
【００２３】
本発明に係る無線通信端末及び通信方法によれば、隣接セルの干渉がない状態の、自セルの回線品質を精度良く測定できる。
【図面の簡単な説明】
【００２４】
【図１】本発明の実施の形態における、Ｒｅｌａｙ技術を用いて無線信号を中継する無線通信システムを示す図
【図２】本実施の形態において、「ＲＮがバックホールとして用いるＭＢＳＦＮサブフレーム」を示す図
【図３】本実施の形態において、ｅＮＢ配下のＵＥがＣＱＩ測定するサブフレームを示す図
【図４】本実施の形態における、下り回線サブフレームの一例を示す図
【図５】本実施の形態における、下り回線のサブフレームの他の例を示す図
【図６】本実施の形態に係る無線通信端末３００Ａの構成を示すブロック図
【図７】本実施の形態に係る基地局１００の構成を示すブロック図
【図８】本実施の形態に係る無線通信端末３００ＡにおけるＣＱＩ測定の処理フロー図
【図９】本実施の形態の変形例１における、Ｒｅｌａｙ技術を用いて無線信号を中継する無線通信システムを示す図
【図１０】変形例１における、下り回線のサブフレームを示す図
【図１１】変形例１における、無線通信端末６００の構成を示すブロック図
【図１２】変形例１における、基地局４００の構成を示すブロック図
【図１３】変形例１における、無線通信端末６００のＣＱＩ測定の処理フローを示す図
【図１４】変形例２における、Ｒｅｌａｙ技術を用いて無線信号を中継する無線通信システムを示す図
【図１５】変形例２における、下り回線のサブフレームのシンボルの一例を示す図
【図１６】変形例２における、下り回線のサブフレームのシンボルの他の例を示す図
【図１７】変形例２における、無線通信端末９００の構成を示すブロック図
【図１８】変形例２における、基地局７００の構成を示すブロック図
【図１９】変形例２における、無線通信端末９００のＣＱＩ測定の処理フローを示す図
【図２０】Ｒｅｌａｙ技術を用いて無線信号を中継する無線通信システムを示す図
【図２１】Ｒｅｌａｙ方式における下り回線のサブフレーム構成を示す図
【発明を実施するための形態】
【００２５】
図１は、本発明の実施の形態における、Ｒｅｌａｙ技術を用いて無線信号を中継する無線通信システムを示す図である。本実施の形態では、図１において、ｅＮＢは基地局１００、ＲＮは中継局２００、ＵＥ１は無線通信端末３００Ａ、ＵＥ２は無線通信端末３００Ｂをそれぞれ示す。無線通信端末３００Ａ（ＵＥ１）は、基地局１００に接続する無線通信端末であり、無線通信端末３００Ｂ（ＵＥ２）は、中継局２００（ＲＮ）に接続する無線通信端末とする。無線通信端末３００Ａ（ＵＥ１）が、基地局１００の配下の無線通信端末（ＵＥ）である。 また、中継局２００（ＲＮ）は、基地局１００に接続する中継局とする。
【００２６】
ここで、中継局２００（ＲＮ）は、ＬＴＥ−Ａで検討されている個別のセルＩＤを持つものとする。そのため、無線通信端末３００Ａに隣接する中継局２００（ＲＮ）は、無線通信端末３００Ａから見ると、隣接セルとみなすことができる。
【００２７】
以下、説明のため、基地局１００をｅＮＢ、中継局２００をＲＮ、無線通信端末３００Ａ（ＵＥ１）をＵＥ１、無線通信端末３００ＢをＵＥ２と記載する。
【００２８】
また、以下、本実施の形態では、図１に示すように無線信号を中継する場合について説明する。つまり、ＲＮは、バックホール回線においてｅＮＢからの信号を受信（図中、矢印Ｃ）して、ＲＮのアクセス回線においてＵＥ２に対して信号を送信（図中、矢印Ｄ）する。バックホール回線とアクセス回線とを同一の周波数帯域の中に収容し、バックホール回線とＲＮのアクセス回線を時間領域（サブフレーム単位）で分割して割当てるＲｅｌａｙ方式とする。
【００２９】
図２〜図４を参照して、本発明の実施の形態において、ｅＮＢ配下のＵＥ１が、ＲＮからの干渉がない場合のｅＮＢからＵＥ１への回線（自セルの回線）に関するＣＱＩを測定するための方法について、説明する。具体的には、ｅＮＢ配下のＵＥ１が、「ＲＮがバックホールとして用いるＭＢＳＦＮサブフレーム」において、所定の領域の信号を使って、ｅＮＢからＵＥ１への回線（自セルの回線）に関するＣＱＩを測定する。
【００３０】
ここで、本実施の形態において、「ＲＮがバックホールとして用いるＭＢＳＦＮサブフレーム」とは、ＲＮセルにおいて、ＭＢＳＦＮサブフレームの先頭２シンボルではＲＮセル固有の制御情報を送信し、３シンボル目以降の領域では、ＭＢＭＳ用のデータを送信しないで、ｅＮＢからの信号を受信する、ＭＢＳＦＮサブフレームの事をいう。
【００３１】
まず、ｅＮＢ配下のＵＥ１では、ＲＮからの信号の有無により、ｅＮＢから送信される信号に対する干渉量が変化する。このため、ＲＮから信号が送信されていない領域において、ｅＮＢから送信される信号の受信ＳＩＲが改善することになる。「ＲＮがバックホールとしてＭＢＳＦＮサブフレーム」を用いる場合、サブフレームの観点とシンボルの観点とから、ＲＮから信号が送信されない領域を特定することができる。
【００３２】
まず、サブフレームの観点から、ｅＮＢ配下のＵＥ１が、「ＲＮがバックホールとしてＭＢＳＦＮサブフレーム」で、ＲＮから信号が送信されない領域を特定できる理由を説明する。
【００３３】
「ＲＮがバックホールとして用いるＭＢＳＦＮサブフレーム」を用いると、干渉量はサブフレーム単位で変化する。ＬＴＥでは、ＭＢＳＦＮサブフレームは、決められた位置に割当てられており、セルごとに個別に設定することができる。このＭＢＳＦＮサブフレームの割当位置は、システム情報としてＳＩＢ２（Ｓｙｓｔｅｍ  Ｉｎｆｏｒｍａｔｉｏｎ  Ｂｌｏｃｋ２）において、ｅＮＢもしくはＲＮからＵＥに対して通知されており、ユーザ割当のように瞬時的に変更されるものではなく、比較的長い周期で変更されるものである。このため、ＲＮがバックホールとしてＭＢＳＦＮサブフレームを用いる場合であっても、ＭＢＳＦＮサブフレームの位置はセル（ＲＮ）ごとに個別に設定される。つまり、ｅＮＢ配下のＵＥ１であっても、隣接するＲＮのバックホールとして用いられるＭＢＳＦＮサブフレームが分かれば、そのサブフレームがＲＮからの干渉が少ないサブフレームであることを特定できる。
【００３４】
次に、図２を参照して、シンボルの観点から、ｅＮＢ配下のＵＥ１が、「ＲＮがバックホールとして用いるＭＢＳＦＮサブフレーム」で、ＲＮから信号が送信されない領域を特定できる理由を説明する。図２は、「ＲＮがバックホールとして用いるＭＢＳＦＮサブフレーム」を示す図である。
【００３５】
図２に示すように、「ＲＮがバックホールとして用いるＭＢＳＦＮサブフレーム」では、ＲＮは、先頭２シンボルにおいてセル固有の制御情報などの信号を送信し、３シンボル目以降において、送信から受信に切り替えて、ｅＮＢからの信号を受信する。
【００３６】
ｅＮＢ配下のＵＥ１からみると、図２に示すＭＢＳＦＮサブフレームでは、先頭２シンボルは干渉としてみえるが、３シンボル目以降の領域では干渉がなくなる。つまり、先頭２シンボルの領域と３シンボル目以降の領域との間で、干渉量が変化している。そこで、ｅＮＢ配下のＵＥ１であっても、隣接するＲＮについて、「ＲＮがバックホールとして用いるＭＢＳＦＮサブフレーム」が分かれば、そのＭＢＳＦＮサブフレームにおいて、ＲＮからの干渉が少ないシンボルを特定することができる。
【００３７】
また、ＬＴＥでは、隣接するセル間は同期していないことを前提としていたため、隣接セル間ではサブフレームのタイミングがずれている場合があった。このため、たとえ隣接セルで送信していないサブフレームがあったとしても、自セルのサブフレームに対しては、干渉がある部分と、干渉がない部分として見えていた。また、隣接セルの信号のシンボル位置を特定するには、隣接セルに対してサブフレーム同期を取る必要があった。しかしながら、ｅＮＢとそのｅＮＢに接続するＲＮの間では、ｅＮＢから送信されるバックホールのサブフレームと「ＲＮがバックホールとして用いるＭＢＳＦＮサブフレーム」とが同期している必要がある。そのため、ｅＮＢとそのｅＮＢに接続するＲＮの間では、ｅＮＢから送信されるバックホールのサブフレームと「ＲＮがバックホールとして用いるＭＢＳＦＮサブフレーム」とが、少なくともサブフレーム単位で同期する必要がある。
【００３８】
したがって、ｅＮＢに接続しているＵＥ１は、ｅＮＢに接続するＲＮが隣接セルであっても、伝搬遅延時間程度の遅延時間は存在するが、サブフレーム単位ではほぼ同期しているといえる。これにより、「ＲＮがバックホールとして用いるＭＢＳＦＮサブフレーム」となる、ｅＮＢのサブフレームでは、サブフレーム全体にわたってＲＮはバックホールとして用いるＭＢＳＦＮサブフレームとなる。
【００３９】
上述した２つの観点から、本実施の形態では、ｅＮＢが、自配下のＵＥ１に「ＲＮがバックホールとして用いるＭＢＳＦＮサブフレーム」の位置を通知し、ｅＮＢ配下のＵＥ１は、「ＲＮがバックホールとして用いるＭＢＳＦＮサブフレーム」において、３シンボル目以降の領域の信号を使って、ｅＮＢからＵＥ１への回線（自セルの回線）に関するＣＱＩを測定する。
【００４０】
まず、ｅＮＢは、自配下のＵＥ１に、ｅＮＢに接続しているＲＮにおいて、「ＲＮがバックホールとして用いるＭＢＳＦＮサブフレーム」の位置を通知する。通知方法としては、システム情報（Ｓｙｓｔｅｍ  Ｉｎｆｏｒｍａｔｉｏｎ  Ｂｌｏｃｋ）や上位レイヤーの制御情報などを用いて通知する方法がある。
【００４１】
次に、図３を参照して、ｅＮＢ配下のＵＥ１がｅＮＢからＵＥ１への回線（自セルの回線）に関するＣＱＩを測定するサブフレームを説明する。図３は、本発明において、ｅＮＢ配下のＵＥ１がｅＮＢからＵＥ１への回線（自セルの回線）に関するＣＱＩを測定するサブフレームを示す図である。
【００４２】
図３に示すように、ｅＮＢ配下のＵＥ１では、図３で示すサブフレーム内の先頭２シンボルを除いた３シンボル目以降の領域を用いて、ｅＮＢからＵＥ１への回線（自セルの回線）に関するＣＱＩを測定するＣＱＩ測定モードを設ける。そして、「ＲＮがバックホールとして用いるＭＢＳＦＮサブフレーム」となるサブフレームにおいて、ｅＮＢ配下のＵＥ１は、図３を参照して説明したＣＱＩ測定モードで、ｅＮＢからＵＥへの回線（自セルの回線）に関するＣＱＩを測定する。
【００４３】
そして、図４に示すように、本実施の形態における下り回線サブフレームのうち、「ＲＮがバックホールとして用いるＭＢＳＦＮサブフレーム」であるサブフレーム［ｎ＋２、ｎ＋６］において、ｅＮＢ配下のＵＥ１は、上述したＣＱＩ測定モードでｅＮＢからＵＥへの回線（自セルの回線）に関するＣＱＩを測定する。
【００４４】
図１〜図４を参照して説明したように、本実施の形態では、ｅＮＢが、自配下のＵＥ１に「ＲＮがバックホールとして用いるＭＢＳＦＮサブフレーム」の位置を通知し、ｅＮＢ配下のＵＥ１は、「ＲＮがバックホールとして用いるＭＢＳＦＮサブフレーム」において、３シンボル目以降の領域の信号を使って、ｅＮＢからＵＥへの回線（自セルの回線）に関するＣＱＩを測定すると、ＲＮからの干渉がない場合のＣＱＩを精度良く測定できる。
【００４５】
次に、図６を参照して、ｅＮＢ配下のＵＥ１である無線通信端末３００Ａの構成を説明する。図６は、本実施の形態に係る無線通信端末３００Ａの構成を示すブロック図である。図６に示す無線通信端末３００Ａは、アンテナ３０１と、スイッチ（ＳＷ）３０３と、受信ＲＦ部３０５と、受信処理部３０７と、ＣＱＩ測定用信号抽出部３０９と、制御情報取得部３１７と、ＣＱＩ測定制御部３１９と、ＲＮ情報取得部３１１と、信号抽出制御部３１３と、サブフレーム抽出部３１５と、シンボル抽出部３２１と、ＣＱＩ測定部３２３と、ＣＱＩメモリ部３２５と、フィードバック情報生成部３２７と、送信処理部３２９と、送信ＲＦ部３３１と、から構成されている。
【００４６】
受信ＲＦ部３０５は、アンテナ３０１で受信した信号に対して、通信帯域以外の信号を除去するためにフィルタ処理を行い、ＩＦ周波数帯もしくはベースバンド帯に周波数変換を行い、受信処理部３０７に出力する。
【００４７】
受信処理部３０７は、受信ＲＦ部３０５から出力された信号に対して受信処理を行う。受信処理部３０７は、受信信号に多重されているデータと、参照信号と、制御情報と、ＲＮに関する情報とを分離し、それぞれを出力する。具体的には、受信処理部３０７は、ＡＤコンバータ等でアナログ信号をデジタル信号に変換し、復調処理、復号処理などを行う。
【００４８】
ＣＱＩ測定用信号抽出部３０９は、受信処理部３０７において分離された受信信号内のＣＱＩ測定に用いる信号を抽出して、サブフレーム抽出部３１５に出力する。ＣＱＩ測定に用いる信号としては、例えば、所望信号成分を測定する場合には参照信号がある。また、ＣＱＩ測定に用いる信号として、例えば、干渉成分を測定する場合にはデータ信号がある。
【００４９】
制御情報取得部３１７は、受信処理部３０７において分離された制御情報の中から、無線通信端末３００Ａに対する制御情報を取得して、無線通信端末３００Ａに対するＣＱＩ測定に関する制御情報をＣＱＩ測定制御部３１９に出力する。
【００５０】
ＣＱＩ測定制御部３１９は、制御情報取得部３１７から出力される、無線通信端末３００Ａに対するＣＱＩ測定に関する制御情報に基づいて、ＣＱＩ測定方法を制御するように、信号抽出制御部３１３に指示を出力する。ＣＱＩ測定制御部３１９が制御するＣＱＩ測定方法は、図３及び図４を参照して説明した、「ＲＮがバックホールとして用いるＭＢＳＦＮサブフレーム」に用いるＣＱＩ測定方法と、通常のＣＱＩ測定方法とである。ＣＱＩ測定制御部３１９は、制御情報取得部３１７から出力されたＣＱＩ測定に関する制御情報に基づいて、どちらのＣＱＩ測定方法を行うかを判断して、その判定結果を信号抽出制御部３１３に指示する。
【００５１】
ＲＮ情報取得部３１１は、受信処理部３０７において分離された、ＲＮに関する情報を取得して、信号抽出制御部３１３に出力する。ＲＮに関する情報としては、「ＲＮがバックホールとして用いるＭＢＳＦＮサブフレーム」の位置がある。ここで、ＲＮに関する情報は、ｅＮＢに接続しているＲＮに関する情報である。
【００５２】
信号抽出制御部３１３は、ＣＱＩ測定制御部３１９の指示に基づいて、ＲＮ情報取得部３１１から出力されるＲＮに関する情報を使って、サブフレーム抽出部３１５とシンボル抽出部３２１とに指示を出力する。ＣＱＩ測定制御部３１９から、「ＲＮがバックホールとして用いるＭＢＳＦＮサブフレーム」用のＣＱＩ測定方法で、ｅＮＢからＵＥ１への回線（自セルの回線）に関するＣＱＩを測定するように指示された場合、信号抽出制御部３１３は、ＲＮ情報取得部から出力される「ＲＮがバックホールとして用いるＭＢＳＦＮサブフレーム」を抽出するように、サブフレーム抽出部３１５に指示を行い、さらに、「ＲＮがバックホールとして用いるＭＢＳＦＮサブフレーム」において先頭２シンボルを除いた３シンボル目以降の領域を抽出するようにシンボル抽出部３２１に指示を行う。また、ＣＱＩ測定制御部３１９から通常のＣＱＩ測定方法を行うように指示された場合、信号抽出制御部３１３は、全てのサブフレームを出力するようにサブフレーム抽出部３１５に指示を行い、全シンボルの領域を抽出するようにシンボル抽出部３２１に指示を行う。
【００５３】
サブフレーム抽出部３１５は、信号抽出制御部３１３の指示に基づいて、ＣＱＩ測定用信号抽出部３０９で抽出したＣＱＩ測定に用いる信号を、サブフレーム単位で抽出して、シンボル抽出部３２１に出力する。
【００５４】
なお、サブフレーム抽出部３１５は、ＣＱＩ測定用信号抽出部３０９で抽出したＣＱＩ測定に用いる信号をバッファリングする機能を備えても良い。また、サブフレーム抽出部３１５は、信号抽出制御部３１３の指示に基づいて、バッファリングした信号から、サブフレーム単位で信号を抽出して出力しても良い。
【００５５】
シンボル抽出部３２１は、信号抽出制御部３１３の指示に基づいて、サブフレーム抽出部３１５で抽出したサブフレーム単位のＣＱＩ測定に用いる信号を、シンボル領域で抽出して、ＣＱＩ測定部３２３に出力する。
【００５６】
ＣＱＩ測定部３２３は、シンボル抽出部３２１で抽出されたＣＱＩ測定に用いる信号を用いて、ｅＮＢからＵＥ１への回線（自セルの回線）に関するＣＱＩの測定を行い、測定したＣＱＩをＣＱＩメモリ部３２５に出力する。例えば、所望信号成分を測定する場合、ＣＱＩ測定部３２３は、受信信号の参照信号を使ってチャネル推定を行い、そのチャネル推定結果から所望信号成分の受信電力を測定する方法がある。また、干渉成分を測定する場合、ＣＱＩ測定部３２３は、データ領域を用いて、受信電力を測定して、所望データの受信電力を引くことで、干渉成分の受信電力を測定する方法がある。後者の場合、所望データの受信電力は、前述した所望信号成分の受信電力から求めるといった方法がある。
【００５７】
ＣＱＩメモリ部３２５は、ＣＱＩ測定部で測定したＣＱＩを記憶し、フィードバック情報生成部３２７に出力する。
【００５８】
フィードバック情報生成部３２７は、ＣＱＩメモリ部３２５で記憶したＣＱＩを用いて、基地局１００にフィードバックする情報を生成して、送信処理部３２９に出力する。
【００５９】
送信処理部３２９は、フィードバック情報生成部３２７で生成したフィードバック情報を、基地局１００にフィードバックできるように送信処理を行い、送信ＲＦ部３３１に出力する。送信処理には、例えば、送信データやフィードバック情報などの信号の多重や、符号化処理、変調処理などがある。
【００６０】
送信ＲＦ部３３１は、送信処理部で送信処理された送信信号に対して、ＲＦ周波数への周波数変換、電力増幅、送信フィルタ処理を行い、アンテナ３０１に出力する。
【００６１】
次に、図７を参照して、基地局１００の構成を説明する。図７は、本実施の形態に係る基地局１００の構成を示すブロック図である。図７に示す基地局１００は、ＣＱＩ測定方法指示部１１３と、制御情報生成部１１１と、信号多重部１０９と、送信処理部１０７と、送信ＲＦ部１０５と、受信ＲＦ部１２３と、受信処理部１２１と、ＣＱＩ情報抽出部１１９と、ＣＱＩメモリ部１１７と、スケジューリング部１１５と、から構成されている。また、信号多重部１０９に入力されるとして、参照信号と、送信データと、ＲＮ情報とがある。参照信号は、送受信間で既知の信号により構成されていて、信号多重部１０９に入力される。参照信号は、例えば、受信側の復調用のチャネル推定や、ＣＱＩ測定などに用いられる。送信データは、各無線通信端末３００Ａ、３００Ｂに対する送信データであり、信号多重部１０９に入力される。ＲＮ情報は、基地局１００に接続している中継局（ＲＮ）に関する情報であり、信号多重部１０９に入力される。
【００６２】
ＣＱＩ測定方法指示部１１３は、無線通信端末３００Ａにおいて用いるＣＱＩ測定を制御する指示を、制御情報生成部１１１に出力する。
【００６３】
なお、ＣＱＩ測定方法指示部１１３は、無線通信端末３００Ａが備えていても良い。無線通信端末３００ＡがＣＱＩ測定方法指示部１１３を備えている場合、無線通信端末３００Ａが「ＲＮがバックホールとして用いるＭＢＳＦＮサブフレーム」であるかどうかを判断し、ＣＱＩ測定方法を制御するようにしても良い。また、無線通信端末３００Ａが、「ＲＮがバックホールとして用いるＭＢＳＦＮサブフレーム」におけるＣＱＩ測定と通常のサブフレームにおけるＣＱＩ測定を、常に両方行い、その結果を報告する場合には、ＣＱＩ測定方法指示部１１３がなくても良い。
【００６４】
制御情報生成部１１１は、ＣＱＩ測定方法指示部１１３から出力されるＣＱＩ測定を制御する指示を含んだ、無線通信端末３００Ａに関する制御情報を生成して、信号多重部１０９に出力する。
【００６５】
信号多重部１０９は、入力された参照信号、各無線通信端末に対する送信データ、ＲＮ情報、制御情報を多重して、送信処理部１０７に出力する。信号多重部１０９は、後述するスケジューリング部１１５から出力されるスケジューリング情報に基づいて、各無線通信端末３００Ａ、３００Ｂに対する送信データを配置して、ユーザ多重を行い、他の信号と多重する。
【００６６】
送信処理部１０７は、信号多重部１０９で多重化された信号に対して送信処理を行い、送信ＲＦ部１０５に出力する。送信処理には、例えば、符号化処理、変調処理などがある。
【００６７】
送信ＲＦ部１０５は、送信処理部１０７で送信処理された送信信号に対して、ＲＦ周波数への周波数変換、電力増幅、送信フィルタ処理を行い、アンテナ１０１に出力する。
【００６８】
受信ＲＦ部１２３は、アンテナで受信した信号に対して、通信帯域以外の信号を除去するためにフィルタ処理を行い、ＩＦ周波数帯もしくはベースバンド帯に周波数変換を行い、受信処理部１２１に出力する。
【００６９】
受信処理部１２１は、受信ＲＦ部１２３から出力された信号に対して受信処理を行い、受信データ、制御情報などの分離を行う。具体的には、受信処理部１２１は、ＡＤコンバータ等でアナログ信号をデジタル信号に変換し、復調処理、復号処理などを行う。
【００７０】
ＣＱＩ情報抽出部１１９は、受信処理部１２１で分離した制御情報の中から、ＣＱＩ情報を抽出し、ＣＱＩメモリ部１１７に出力する。
【００７１】
ＣＱＩメモリ部１１７は、ＣＱＩ情報抽出部１１９で抽出したＣＱＩ情報を記憶し、スケジューリング部１１５に出力する。
【００７２】
スケジューリング部１１５は、ＣＱＩメモリ部１１７で記憶したＣＱＩ情報を使って、スケジューリングを行い、スケジューリング情報を信号多重部１０９に出力する。スケジューリングでは、スケジューリング部１１５は、ＣＱＩ情報を使って、送信サブフレーム、送信周波数（リソースブロック）を決定する。
【００７３】
次に、図８を参照して、本実施の形態に係る無線通信端末３００ＡにおけるＣＱＩ測定の処理フローを説明する。図８は、無線通信端末３００ＡにおけるＣＱＩ測定の処理フロー示す図である。
【００７４】
ステップ（ＳＴ００１）では、アンテナ３０１でｅＮＢからの信号を受信して、受信ＲＦ部３０５及び受信処理部３０７で受信処理を行う。
ステップ（ＳＴ００２）では、ＣＱＩ測定用信号抽出部３０９が、ステップ（ＳＴ００１）において受信処理した信号から、ＣＱＩ測定に用いる信号を抽出する。
【００７５】
ステップ（ＳＴ００３）では、制御情報取得部３１７が、ステップ（ＳＴ００１）において受信処理した信号から、ｅＮＢ配下のＵＥ１に対する制御情報を取得する。
ステップ（ＳＴ００４）では、ＲＮ情報取得部３１１が、ステップ（ＳＴ００１）において受信処理した信号から、ＲＮに関する情報を取得する。
【００７６】
ステップ（ＳＴ００５）では、ＣＱＩ測定制御部３１９が、ステップ（ＳＴ００３）において取得した制御情報により、「ＲＮがバックホールとして用いるＭＢＳＦＮサブフレーム」用のＣＱＩ測定モードか、通常のＣＱＩ測定モードのどちらのモードでＣＱＩを測定するかを選択する。
【００７７】
＜「ＲＮがバックホールとして用いるＭＢＳＦＮサブフレーム」用のＣＱＩ測定モードの場合＞
ステップ（ＳＴ００６−１）では、信号抽出制御部３１３が、ステップ（ＳＴ００４）において取得したＲＮに関する情報から、「ＲＮがバックホールとして用いるＭＢＳＦＮサブフレーム」となるサブフレームを、サブフレーム抽出部３１５とシンボル抽出部３２１に指示する。
【００７８】
ステップ（ＳＴ００７−１）では、サブフレーム抽出部３１５が、ステップ（ＳＴ００６−１）において信号抽出制御部３１３から指示された、「ＲＮがバックホールとして用いるＭＢＳＦＮサブフレーム」となるサブフレームにおいて、ステップ（ＳＴ００２）において抽出したＣＱＩ測定に用いる信号から、「ＲＮがバックホールとして用いるＭＢＳＦＮサブフレーム」となるサブフレームを抽出する。
【００７９】
ステップ（ＳＴ００８−１）では、シンボル抽出部３２１は、ステップ（ＳＴ００６−１）において信号抽出制御部３１３から通知された、「ＲＮがバックホールとして用いるＭＢＳＦＮサブフレーム」となるサブフレームにおいて、ステップ（ＳＴ００７−１）において抽出したサブフレームの信号から、先頭２シンボルを除いた領域の信号を抽出する。
【００８０】
＜通常のＣＱＩ測定モードの場合＞
ステップ（ＳＴ００６−２）では、信号抽出制御部３１３は、全てのサブフレームにおいて信号を抽出するように、サブフレーム抽出部３１５とシンボル抽出部３２１に指示する。
【００８１】
ステップ（ＳＴ００７−２）では、サブフレーム抽出部３１５は、ステップ（ＳＴ００６−２）において信号抽出制御部３１３から指示されたように、ステップ（ＳＴ００２）において抽出したＣＱＩ測定に用いる信号の全サブフレームを抽出する。
【００８２】
ステップ（ＳＴ００８−２）では、シンボル抽出部３２１は、ステップ（ＳＴ００６−２）において信号抽出制御部３１３から指示されたように、ステップ（ＳＴ００７−２）で抽出した全サブフレームの信号において全シンボル領域の信号を抽出する。
【００８３】
ステップ（ＳＴ００９）では、ＣＱＩ測定部３２３は、ステップ（ＳＴ００８−１）もしくは（ＳＴ００８−２）において抽出した信号を用いてＣＱＩ測定を行う。
【００８４】
ステップ（ＳＴ０１０）では、ＣＱＩメモリ部が、（ＳＴ００９）で測定したＣＱＩを記憶する。
ステップ（ＳＴ０１１）では、フィードバック情報生成部３２７が、ステップ（ＳＴ０１０）で記憶したＣＱＩからフィードバック情報を生成する。
【００８５】
ステップ（ＳＴ０１２）では、送信処理部３２９及び送信ＲＦ部３３１は、ステップ（ＳＴ０１１）で生成したフィードバック情報に対して送信処理を行い、ｅＮＢに送信する。
【００８６】
なお、本実施の形態では、ｅＮＢ配下のＵＥ１は、「ＲＮがバックホールとして用いるＭＢＳＦＮサブフレーム」となるサブフレームにおいて、先頭２シンボルを除いた３シンボル目以降の領域を使ってＣＱＩを測定するが、このサブフレームに限らなくても良い。例えば、全てのサブフレームにおいて、本実施の形態のように、ｅＮＢ配下のＵＥ１は、先頭２シンボルを除いた３シンボル目以降の領域を使って、ｅＮＢからＵＥ１への回線（自セルの回線）に関するＣＱＩを測定しても良い。これにより、ＲＮがバックホールとして用いていないサブフレームでは、先頭２シンボル分をＣＱＩ測定に使えなくなるので、ＣＱＩ精度の若干の低下はあるが、一方で、ｅＮＢは、隣接するＲＮのバックホールとして用いるＭＢＳＦＮサブフレームに関する情報などを通知しなくてよいので、シグナリングのオーバヘッドを減らすことができる。
【００８７】
なお、本実施の形態では、「ＲＮがバックホールとして用いるＭＢＳＦＮサブフレーム」において、ｅＮＢのサブフレームでは、参照信号の送信電力を増大させても良い。本実施の形態のｅＮＢ配下のＵＥ１のＣＱＩ測定モードでは、先頭２シンボルをＣＱＩ測定に使うことができないので、その分の電力を増大させることで、ＣＱＩ測定精度を保つことができる。この場合、ｅＮＢはどれだけ送信電力を増大したかをｅＮＢ配下のＵＥ１に通知する。また、３シンボル目以降のデータ領域の一部に、ＣＱＩ測定用に参照信号を挿入しても良い。先頭２シンボルをＣＱＩ測定に使うことができないので、その分の参照信号を挿入することで、ＣＱＩ測定精度を保つことができる。この場合、ｅＮＢは、ＣＱＩ測定用に参照信号を挿入したことをｅＮＢ配下のＵＥ１に通知する。
【００８８】
なお、本実施の形態では、Ｐｅｒｉｏｄｉｃ  ＣＱＩの場合において、ＣＱＩをフィードバックするサブフレームより４つ前のサブフレームが、「ＲＮがバックホールとして用いるＭＢＳＦＮサブフレーム」でない場合、４サブフレームより前で一番近い、「ＲＮがバックホールとして用いるＭＢＳＦＮサブフレーム」において、ｅＮＢ配下のＵＥ１は、上述したＣＱＩ測定モードでＣＱＩを測定しても良い。
【００８９】
図５を参照して、所定数のサブフレームより前で一番近い、「ＲＮがバックホールとして用いるＭＢＳＦＮサブフレーム」において、ｅＮＢ配下のＵＥ１がｅＮＢからＵＥ１への回線（自セルの回線）に関するＣＱＩを測定する例ついて説明する。図５は、Ｐｅｒｉｏｄｉｃ  ＣＱＩの場合において、本実施の形態における下り回線の他の例を示す図である。
【００９０】
図５に示すように、サブフレーム［ｎ＋８］の上り回線で報告するＰｅｒｉｏｄｉｃ  ＣＱＩは、その４サブフレーム前である、サブフレーム［ｎ＋４］の下り回線において測定したＣＱＩを測定する。しかし、このサブフレーム［ｎ＋４］では、ＲＮは通常のサブフレームであるので、本実施例のＣＱＩ測定モードでＣＱＩを測定できない。そこで、サブフレーム［ｎ＋４］より前で、サブフレーム［ｎ＋４］に一番近い、「ＲＮのバックホールとして用いるＭＢＳＦＮサブフレーム」となるサブフレーム［ｎ＋２］において、ｅＮＢ配下のＵＥ１が、上述した本実施例のＣＱＩ測定モードでｅＮＢからＵＥ１への回線（自セルの回線）に関するＣＱＩを測定して、サブフレーム［ｎ＋８］の上り回線でｅＮＢに報告するようにしても良い。
【００９１】
なお、本実施の形態では、Ａｐｅｒｉｏｄｉｃ  ＣＱＩの場合において、ｅＮＢから通知された、「ＲＮがバックホールとして用いるＭＢＳＦＮサブフレーム」において、ｅＮＢからＣＱＩを測定するようにｅＮＢ配下のＵＥ１が指示された場合、ｅＮＢ配下のＵＥ１が、本実施例のＣＱＩ測定モードで、ｅＮＢからＵＥ１への回線（自セルの回線）に関するＣＱＩを測定しても良い。例えば、同様に図５を用いて説明すると、次のようになる。
【００９２】
ｅＮＢが、ｅＮＢ配下のＵＥ１に「ＲＮがバックホールとして用いるＭＢＳＦＮサブフレーム」を通知していれば、ｅＮＢ配下のＵＥ１は、「ＲＮのバックホールとして用いているＭＢＳＦＮサブフレーム」となるサブフレームの位置が分かる。したがって、例えば、図５に示すサブフレーム［ｎ＋２］において、ｅＮＢ配下のＵＥ１がｅＮＢからＵＥ１への回線（自セルの回線）に関するＣＱＩを測定するように指示された場合、ｅＮＢ配下のＵＥ１は、本実施例のＣＱＩ測定モードでｅＮＢからＵＥ１への回線（自セルの回線）に関するＣＱＩを測定しても良い。
【００９３】
なお、本実施の形態では、Ａｐｅｒｉｏｄｉｃ  ＣＱＩの場合において、「ＲＮがバックホールとして用いるＭＢＳＦＮサブフレーム」用のＣＱＩ測定モードで測定するように、ｅＮＢが、ｅＮＢ配下のＵＥ１にＰＤＣＣＨの中で指示しても良い。具体的には、ＰＤＣＣＨのｆｏｒｍａｔ０において、「ＲＮのバックホールとして用いるＭＢＳＦＮサブフレーム」用のＣＱＩ  ｒｅｑｕｅｓｔを追加する。これにより、ｅＮＢが、隣接するＲＮの「ＲＮがバックホールとして用いるＭＢＳＦＮサブフレーム」に関する情報を、ｅＮＢ配下のＵＥ１に通知しなくても、ｅＮＢ配下のＵＥ１は、本実施例のＣＱＩ測定モードでｅＮＢからＵＥ１への回線（自セルの回線）に関するＣＱＩを測定することができる。
【００９４】
なお、本実施の形態では、ｅＮＢ配下のＵＥ１は、「ＲＮがバックホールとして用いるＭＢＳＦＮサブフレーム」において測定したｅＮＢからＵＥ１への回線（自セルの回線）に関するＣＱＩを、複数回測定を行い、それを平均化することも可能である。具体的には、信号成分を測定する範囲を、「ＲＮがバックホールとして用いるＭＢＳＦＮサブフレーム」に限定し、干渉成分を測定する範囲を、「ＲＮがバックホールとして用いるＭＢＳＦＮサブフレーム」に限定する。これにより、ｅＮＢからＵＥ１への回線（自セルの回線）に関するＣＱＩの測定精度を改善することができる。
【００９５】
なお、本実施の形態では、ｅＮＢとそのｅＮＢに接続するＲＮについて説明したが、複数のｅＮＢにおいて、一方のｅＮＢから信号を送信していないサブフレームがある場合に適用しても良い。
【００９６】
なお、本実施の形態では、自セルの回線品質として、ｅＮＢからＵＥへの回線のＣＱＩについて説明したが、これに限らなくても良い。例えば、ハンドオーバーを行う際に測定する自セルの回線品質を用いてもよい。
【００９７】
（変形例１）
次に、図９から図１３を参照して、本実施の形態の変形例１について説明する。上述した本実施の形態では、ｅＮＢに接続するＲＮが１個の場合を例にとって説明したが、本実施の形態の変形例１では、１つのｅＮＢに複数のＲＮが接続する場合について説明する。
【００９８】
１つのｅＮＢに複数のＲＮが接続する場合、各ＲＮにおいてバックホールとして用いるＭＢＳＦＮサブフレームの位置が異なる場合がある。これは、各ＲＮにおけるバックホールの容量は、ＲＮごとに異なることから、バックホールとして用いるＭＢＳＦＮサブフレーム数が同一でないことに起因する。また、複数のＲＮのバックホールを同じサブフレームにすると、トラフィックが集中してしまい、各ＲＮに対して十分なリソースを割当てることができなくなっていまい、効率が低下してしまう可能性があるので、ＲＮにおいてバックホールとして用いるＭＢＳＦＮサブフレームの位置が異なっている。
【００９９】
上述のように、「各ＲＮにおいてバックホールとして用いるＭＢＳＦＮサブフレーム」の位置が異なると、ｅＮＢ配下のＵＥの位置により、各ＲＮからの干渉量が異なるので、サブフレームごとに干渉量が変化する。つまり、ｅＮＢ配下のＵＥの位置が、ＲＮから近ければ、そのＲＮから受ける干渉は強く、ＲＮから遠ければ、そのＲＮから受ける干渉は弱い。したがって、ｅＮＢ配下のＵＥは、より干渉が弱いサブフレームにおいて信号を送信してもらうほうが良い。
【０１００】
図９は、本実施の形態の変形例１における、Ｒｅｌａｙ技術を用いて無線信号を中継する無線通信システムを示す図である。変形例１では、図９において、ｅＮＢは基地局４００、ＲＮ１は中継局５００Ａ、ＲＮ２は中継局５００Ｂ、ＵＥ１は無線通信端末６００をそれぞれ示す。無線通信端末６００（ＵＥ１）は、基地局４００に接続する無線通信端末、言い換えると、基地局４００配下の無線通信端末である。変形例１では、同じ基地局に接続する中継局が２つ存在する。
【０１０１】
ここで、無線通信端末６００と、中継局５００Ａ（ＲＮ１）と中継局５００Ｂ（ＲＮ２）の位置関係は、中継局５００Ｂ（ＲＮ２）の方が、中継局５００Ａ（ＲＮ１）よりも、無線通信端末６００（ＵＥ１）に近い位置にいるとする。
【０１０２】
さらに、本実施の形態の変形例１の無線通信システムでは、バックホール回線とアクセス回線とを同一の周波数帯域の中に収容し、バックホール回線とＲＮのアクセス回線を時間領域（サブフレーム単位）で分割して割当てるＲｅｌａｙ方式とする。以下、説明のため、基地局４００をｅＮＢ、中継局５００ＡをＲＮ１、中継局５００ＢをＲＮ２、基地局４００配下の無線通信端末６００をＵＥ１、と記載する。
【０１０３】
ここで、中継局５００Ａ（ＲＮ１）及び中継局５００Ｂ（ＲＮ２）は、ＬＴＥ−Ａで検討されている個別のセルＩＤを持つものとする。そのため無線通信端末６００に隣接する中継局５００Ａ（ＲＮ１）及び中継局５００Ｂは、無線通信端末６００から見ると、隣接セルとみなすことができる。
【０１０４】
図１０を参照して、図９に示す無線通信システムにおける、下り回線のサブフレームについて説明する。図１０は、変形例１における、下り回線のサブフレームを示す図である。なお、図１０において、ＲＮ１では「ＲＮがバックホールとして用いるＭＢＳＦＮサブフレーム」の位置は、サブフレーム［ｎ＋２、ｎ＋６］である。一方、ＲＮ２では、「ＲＮがバックホールとして用いるＭＢＳＦＮサブフレーム」の位置は、サブフレーム［ｎ＋４］である。
【０１０５】
図１０に示すように、ＵＥ１は、サブフレーム［ｎ、ｎ＋１、ｎ＋３、ｎ＋５］では、矢印（破線）で示すように、ＲＮ１とＲＮ２との両方の干渉を受けている。しかし、サブフレーム［ｎ＋２、ｎ＋６］とサブフレーム［ｎ＋４］では、ＵＥ１は、それぞれＲＮ２からの干渉とＲＮ１からの干渉を受けているが、２つのＲＮ１、ＲＮ２からの干渉量が異なる。つまり、ＲＮ１がＲＮ２よりもＵＥ１から遠くに位置しているので、ＲＮ１からＵＥ１が受ける干渉量は、ＲＮ２からＵＥ１が受ける干渉量よりも弱い。そのため、ＵＥ１がＲＮ１、ＲＮ２から受ける干渉量を比較すると、ＵＥ１がＲＮ２から干渉を受けるサブフレーム［ｎ＋２、ｎ＋６］より、ＵＥ１がＲＮ１から干渉を受けるサブフレーム［ｎ＋４］のほうが、ＵＥ１がＲＮから受ける干渉量が弱い。
【０１０６】
上述したＵＥ１が受ける各ＲＮからの干渉量を考慮し、本実施の形態の変形例１では、ｅＮＢ配下のＵＥ１に対して、ｅＮＢ配下の全てのＲＮにおけるバックホールとして用いるＭＢＳＦＮサブフレームの位置を通知して、ｅＮＢ配下のＵＥ１は、干渉が少ないサブフレームを検出して、ｅＮＢからＵＥ１への回線（自セルの回線）に関するＣＱＩとともにそのサブフレーム位置をｅＮＢにフィードバックする。以下、ＵＥが受ける各ＲＮからの干渉量を考慮した変形例１の具体的な方法について説明する。
【０１０７】
まず、ｅＮＢは、自配下のＵＥ１に対して、ｅＮＢに接続している全てのＲＮにおいて、「ＲＮがバックホールとして用いるＭＢＳＦＮサブフレーム」の位置を通知する。通知方法としては、システム情報（Ｓｙｓｔｅｍ  Ｉｎｆｏｒｍａｔｉｏｎ  Ｂｌｏｃｋ）や上位レイヤーの制御情報などを用いて通知する方法がある。
【０１０８】
次に、ｅＮＢ配下のＵＥ１は、ｅＮＢから通知されたサブフレームにおいて、本実施の形態同様、図３を参照して説明したＣＱＩ測定モードで、ｅＮＢからＵＥ１への回線（自セルの回線）に関するＣＱＩを測定する。そして、ＵＥ１は、その通知されたサブフレームの中で、ＣＱＩが高いサブフレームを検出して、そのＣＱＩとサブフレーム位置をｅＮＢにフィードバックする。例えば、図９、図１０で想定した環境について説明すると、ＵＥ１は、サブフレーム［ｎ＋２、ｎ＋４、ｎ＋６］において、「ＲＮがバックホールとして用いるＭＢＳＦＮサブフレーム」用のＣＱＩ測定を行い、その中で、干渉量が小さいサブフレーム［ｎ＋４］を検出し、サブフレーム［ｎ＋４］におけるＣＱＩとサブフレーム番号をフィードバックする。
【０１０９】
上述のように、本実施の形態の変形例１では、ｅＮＢは、ｅＮＢ配下のＵＥ１に対して、ｅＮＢ配下の全てのＲＮにおいて、「ＲＮがバックホールとして用いるＭＢＳＦＮサブフレーム」の位置を通知して、ｅＮＢ配下のＵＥ１は、干渉が少ないサブフレームを検出して、ｅＮＢからＵＥ１への回線（自セルの回線）に関するＣＱＩとともにそのサブフレーム位置をｅＮＢにフィードバックする。そのため、本実施の形態の変形例１では、ｅＮＢ配下のＵＥ１において、ＲＮからの干渉がより少ないサブフレームにおいて、ｅＮＢからＵＥ１への回線（自セルの回線）に関するＣＱＩを測定することができる。
【０１１０】
図１１を参照して、ＵＥ１である無線通信端末６００の構成について説明する。図１１は、変形例１における、無線通信端末６００の構成を示すブロック図である。図１１に示す無線通信端末６００が、図６に示す無線通信端末３００Ａと異なる点は、高品質サブフレーム検出部６０１及びフィードバック情報生成部６０３を備える点である。この点以外は実施の形態と同様であり、図１１において、図６と共通する構成要素には同じ参照符号が付されている。また、共通する構成要素について、その説明を、省略する。
【０１１１】
高品質サブフレーム検出部６０１は、ＣＱＩメモリ部３２５に記憶されているＣＱＩの中から、品質が最も高いＣＱＩを検出する。そして、高品質サブフレーム検出部６０１は、ＲＮ情報取得部３１１で取得した、「ＲＮがバックホールとして用いるＭＢＳＦＮサブフレーム」の位置の情報を用いて、「ＲＮがバックホールとして用いるＭＢＳＦＮサブフレーム」用のＣＱＩ測定を行い、高品質ＣＱＩとなるサブフレーム位置を検出して、その検出結果（サブフレーム番号及びサブフレームにおけるｅＮＢからＵＥ１への回線（自セルの回線）に関するＣＱＩ）をフィードバック情報生成部６０３に出力する。
【０１１２】
フィードバック情報生成部６０３は、高品質サブフレーム検出部６０１で検出したサブフレーム情報（サブフレーム番号）と、ＣＱＩメモリ部３２５で記憶されているそのサブフレームにおけるｅＮＢからＵＥ１への回線（自セルの回線）に関するＣＱＩから、フィードバック情報を生成して、送信処理部３２９に出力する。
【０１１３】
次に、図１２を参照して、ｅＮＢである基地局４００の構成を説明する。図１２は、変形例１における、基地局４００の構成を示すブロック図である。図１２に示す基地局４００が、図７に示す基地局１００と異なる点は、ＣＱＩメモリ部１１７に代わってＣＱＩ・サブフレームメモリ部４０１を備える点である。この点以外は実施の形態と同様であり、図１２において、図７と共通する構成要素には同じ参照符号が付されている。また、共通する構成要素について、その説明を省略する。
【０１１４】
ＣＱＩ・サブフレームメモリ部４０１は、ＣＱＩ情報抽出部１１９において抽出した、ＵＥ１からフィードバックされたサブフレーム情報とそのサブフレームにおけるｅＮＢからＵＥ１への回線（自セルの回線）に関するＣＱＩとを記憶し、スケジューリング部１１５に出力する。
【０１１５】
次に、図１３を参照して、変形例１における、無線通信端末６００（ＵＥ１）のＣＱＩ測定の処理フローを説明する。図１３は、変形例１における、無線通信端末６００のＣＱＩ測定の処理フローを示す図である。図１３に示す無線通信端末６００のＣＱＩ測定の処理フローが、図８に示す無線通信端末３００ＡにおけるＣＱＩ測定の処理フローと異なる点は、ステップ（ＳＴ０１０）とステップ（ＳＴ０１１）との間に、新たにステップ（ＳＴ０１３）の処理が追加された点である。この点以外は実施の形態と同様であり、図１３において、図８と共通するステップには同じ参照符号が付されている。また、共通するステップについて、その説明を省略する。
【０１１６】
ステップ（ＳＴ０１３）では、高品質サブフレーム検出部６０１が、ステップ（ＳＴ０１０）で記憶したＣＱＩにおいて、高い品質となるサブフレームを検出する。そして、（ＳＴ０１１）では、フィードバック情報生成部６０３が、ステップ（ＳＴ０１０）で記憶したＣＱＩと、（ＳＴ０１３）において検出したサブフレーム情報から、フィードバック情報を生成する。
【０１１７】
なお、本実施の形態の変形例１では、ｅＮＢは、接続している全てのＲＮにおいて、「ＲＮがバックホールとして用いるＭＢＳＦＮサブフレーム」の位置を、自配下のＵＥ１に通知したが、これに限定しなくても良い。例えば、ｅＮＢは、各ＲＮの番号と、ＲＮ毎のバックホールとして用いるＭＢＳＦＮサブフレームの位置をＲＮの番号とを関連付けて、ｅＮＢ配下のＵＥ１に通知する。そして、ＵＥ１は、ＣＱＩが最大となるサブフレームを検出して、そのサブフレームがどのＲＮのバックホールとして用いるＭＢＳＦＮサブフレームかを検出することで、そのサブフレーム位置もしくはＲＮ番号と測定したＣＱＩをｅＮＢにフィードバックする。
【０１１８】
上述のように、ｅＮＢが、ＲＮ毎に「ＲＮがバックホールとして用いるＭＢＳＦＮサブフレーム」の位置を、自配下のＵＥ１通知することで、同一のＲＮのバックホールとして用いるＭＢＳＦＮサブフレームで測定したＣＱＩを平均化することで、ＣＱＩの測定精度を改善できる。
【０１１９】
（変形例２）
次に、図１４から図１９を参照して、本実施の形態の変形例２について説明する。
実施の形態及び変形例１では、「ＲＮがバックホールとして用いるＭＢＳＦＮサブフレーム」の位置をｅＮＢからＵＥ１に通知して、ＵＥ１はその通知された情報に基づいてＣＱＩ測定モードを切り替えた。しかし、本実施の形態の変形例２では、ＵＥ１自身が、「ＲＮがバックホールとして用いるＭＢＳＦＮサブフレーム」のサブフレームかどうかを判定する。
【０１２０】
図１４は、変形例２における、Ｒｅｌａｙ技術を用いて無線信号を中継する無線通信システムを示す図である。変形例２では、図１４において、ｅＮＢは基地局７００、ＲＮは中継局８００、ＵＥ１は無線通信端末９００Ａ、ＵＥ２は無線通信端末９００Ｂをそれぞれ示す。無線通信端末９００Ａ（ＵＥ１）は、基地局７００に接続する無線通信端末であり、無線通信端末９００Ｂ（ＵＥ２）は、中継局８００（ＲＮ）に接続する無線通信端末とする。無線通信端末９００Ａ（ＵＥ１）が、基地局７００の配下の無線通信端末（ＵＥ１）である。
【０１２１】
以下、説明のため、基地局７００をｅＮＢ、中継局８００をＲＮ、無線通信端末９００Ａ（ＵＥ１）をＵＥ１と記載する。また、以下、変形例２では、図１に示すように無線信号を中継する場合について説明する。つまり、ＲＮは、バックホール回線においてｅＮＢからの信号を受信（図中、矢印Ｅ）して、ＲＮのアクセス回線においてＵＥ２に対して信号を送信（図中、矢印Ｆ）する。バックホール回線とアクセス回線とを同一の周波数帯域の中に収容し、バックホール回線とＲＮのアクセス回線を時間領域（サブフレーム単位）で分割して割当てるＲｅｌａｙ方式とする。
【０１２２】
ここで、中継局８００（ＲＮ）は、ＬＴＥ−Ａで検討されている個別のセルＩＤを持つものとする。そのため、無線通信端末９００Ａ（ＵＥ１）に隣接する中継局８００（ＲＮ）は、無線通信端末９００Ａから見ると、隣接セルとみなすことができる。
【０１２３】
図１５及び図１６を参照して、ＵＥ１自身が、「ＲＮがバックホールとして用いるＭＢＳＦＮサブフレーム」のサブフレームかどうかを判定する方法について、説明する。図１５は、変形例２における下り回線のサブフレームのシンボルの一例を示し、図１６は、変形例２における下り回線のサブフレームのシンボルの他の例を示す。
【０１２４】
図１５に示すように、全てのシンボルにおいてＲＮから信号が送信されている。このため、このサブフレームのどのシンボルと使って、ｅＮＢからＵＥ１への回線（自セルの回線）に関するＣＱＩの測定を行ってもＣＱＩは近い値を示す。つまり、全シンボルの領域を使って測定したｅＮＢからＵＥ１への回線（自セルの回線）に関するＣＱＩと、３シンボル目以降のシンボルを使って測定したｅＮＢからＵＥ１への回線（自セルの回線）に関するＣＱＩは近い値となる。
【０１２５】
一方、図１６に示すように、３シンボル目（シンボル＃２）以降のシンボルにおいて、ＲＮからｅＮＢへ信号が送信されていない。このため、図１６に示すサブフレームでは、先頭２シンボルを含んで、ｅＮＢからＵＥ１への回線（自セルの回線）に関するＣＱＩの測定を行う場合と、３シンボル目以降のシンボルを使ってｅＮＢのＣＱＩ測定を行う場合では、ＵＥ１がＲＮから受ける干渉量が異なる。つまり、図１６に示すサブフレームの中で、３シンボル目以降のシンボルを使って測定した、ｅＮＢからＵＥ１への回線（自セルの回線）に関するＣＱＩの方が、図１６に示すサブフレームの中で、先頭２シンボル及び３シンボル目以降のシンボルを使って測定した、ｅＮＢからＵＥ１への回線（自セルの回線）に関するＣＱＩよりも、高い回線品質を示す値となる。つまり、全シンボルの領域を使って測定した、ｅＮＢからＵＥ１への回線（自セルの回線）に関するＣＱＩと、３シンボル目以降のシンボルを使って測定した、ｅＮＢからＵＥ１への回線（自セルの回線）に関するＣＱＩでは、後者のほうが高い回線品質を示す値となる。
【０１２６】
そこで、全シンボルの領域を使って測定した、ｅＮＢからＵＥ１への回線（自セルの回線）に関するＣＱＩと、３シンボル目以降のシンボルを使って測定した、ｅＮＢからＵＥ１への回線（自セルの回線）に関するＣＱＩとを比較することで、そのサブフレームが通常のサブフレームであるか、又は、「ＲＮがバックホールとして用いるＭＢＳＦＮサブフレーム」であるかを、ＵＥ１自身が判定することができる。また、先頭２シンボルだけを使って測定した、ｅＮＢからＵＥ１への回線（自セルの回線）に関するＣＱＩと、３シンボル目以降のシンボルだけを使って測定した、ｅＮＢからＵＥ１への回線（自セルの回線）に関するＣＱＩとを比較することでも、同様に、そのサブフレームが通常のサブフレームであるか、又は「ＲＮがバックホールとして用いるＭＢＳＦＮサブフレーム」であるかをＵＥ１自身が判定することができる。
【０１２７】
上述のように、本実施の形態の変形例２では、ＵＥ１は、先頭２シンボルを用いて測定した、ｅＮＢからＵＥ１への回線（自セルの回線）に関するＣＱＩと、３シンボル目以降のシンボルを用いて測定した、ｅＮＢからＵＥ１への回線（自セルの回線）に関するＣＱＩとを比較して、ＲＮのサブフレームが、通常サブフレームか、又は「ＲＮがバックホールとして用いるＭＢＳＦＮサブフレーム」を判断し、ＵＥ１は、それぞれに適したｅＮＢのＣＱＩ測定を行い、ｅＮＢにフィードバックする。
【０１２８】
以下、ＵＥ１自身が、ＲＮのサブフレームが、通常サブフレームか、又は「ＲＮがバックホールとして用いるＭＢＳＦＮサブフレーム」を判定する具体的方法について、説明する。
【０１２９】
まず、ＵＥ１は、全シンボル領域を使ってｅＮＢからＵＥ１への回線（自セルの回線）に関するＣＱＩを測定し、次に３シンボル目以降の領域を使ってｅＮＢからＵＥ１への回線（自セルの回線）に関するＣＱＩを測定する。以下、説明のため、全シンボル領域を使って測定した、ｅＮＢからＵＥ１への回線（自セルの回線）に関するＣＱＩをＣＱＩ＿ａｌｌと示し、３シンボル目以降の領域を使って測定した、ｅＮＢからＵＥ１への回線（自セルの回線）に関するＣＱＩを、ＣＱＩ＿ｐａｒｔと示す。
なお、本明細書において、“ＣＱＩ”の後に続く下線＿は、下線＿の後に続く文字または単語（例えば、ａｌｌやｐａｒｔ）が、下線＿の直前にある“ＣＱＩ”の下付文字であることを示す。
【０１３０】
次に、ＵＥ１は、ＣＱＩ＿ａｌｌとＣＱＩ＿ｐａｒｔとを比較して、ＲＮのサブフレームが通常サブフレームか、又は「ＲＮがバックホールとして用いるＭＢＳＦＮサブフレーム」かを、判定する。例えば、ＵＥ１は、ＣＱＩ＿ａｌｌとＣＱＩ＿ｐａｒｔとの差の絶対値（以下、ＣＱＩの差という）対して、ある閾値Ｔｈを予め設定しておき、ＣＱＩの差と閾値Ｔｈとを比較して、ＲＮのサブフレームが通常サブフレームか、又はＲＮのサブフレームが「ＲＮがバックホールとして用いるＭＢＳＦＮサブフレーム」かを、判定することができる。
【０１３１】
つまり、ＣＱＩの差が閾値Ｔｈ未満であれば、ＵＥ１は、ＣＱＩ＿ａｌｌとＣＱＩ＿ｐａｒｔに差がないと判断し、ＵＥ１は、ＲＮのサブフレームが通常のサブフレームであると判定する。一方、ＣＱＩの差が閾値Ｔｈ以上であれば、ＵＥ１は、ＣＱＩ＿ａｌｌとＣＱＩ＿ｐａｒｔに差があると判断して、ＵＥ１は、ＲＮのサブフレームが、「ＲＮがバックホールとして用いるＭＢＳＦＮサブフレーム」であると判定する。
【０１３２】
上述したＣＱＩの差と閾値Ｔｈとで表現される判断条件は、ＣＱＩ＿ａｌｌ  、ＣＱＩ＿ｐａｒｔ、Ｔｈを用いて次式（１）及び式（２）で表される。
【０１３３】
【数１】
2010131487.tif 000003
【０１３４】
【数２】
2010131487.tif 000004
【０１３５】
つまり、ＣＱＩ＿ａｌｌ  、ＣＱＩ＿ｐａｒｔ、閾値Ｔｈが式（１）を満たしていれば、ＵＥ１は、ＲＮのサブフレームが通常のサブフレームであると判定する。一方、ＣＱＩ＿ａｌｌ  、ＣＱＩ＿ｐａｒｔ、閾値Ｔｈが式（２）を満たしていれば、ＵＥ１は、ＲＮのサブフレームが、「ＲＮがバックホールとして用いるＭＢＳＦＮサブフレーム」であると判定する。
【０１３６】
そして、式（１）及び式（２）を用いて判断したＲＮのサブフレームに応じて、例えば、以下のようにＵＥ１はＣＱＩ測定方法を選択する。
【０１３７】
ＵＥ１が、ＲＮのサブフレームが通常のサブフレームと判断した場合、サブフレーム内のシンボルでは同じ品質となるので、数多くのシンボルを用いて平均化することでＣＱＩ測定精度を向上できる。したがって、ＵＥ１は、サブフレームの全ての領域を使うＣＱＩ測定モードを選択して、ｅＮＢからＵＥ１への回線（自セルの回線）に関するＣＱＩを測定する。一方、ＵＥ１が、ＲＮのサブフレームが「ＲＮがバックホールとして用いるＭＢＳＦＮサブフレーム」と判断した場合、ＵＥ１は、変形例１と同様に、先頭２シンボルを除いた３シンボル目以降の領域を使うＣＱＩ測定モードを選択して、ｅＮＢからＵＥ１への回線（自セルの回線）に関するＣＱＩを測定する。
【０１３８】
そして、ＵＥ１は、測定したＣＱＩとあわせて、どちらの測定モードで測定したかをｅＮＢに、フィードバック情報としてフィードバックする。
【０１３９】
また、先頭２シンボルだけを使って測定したＣＱＩと、３シンボル目以降のシンボルだけを使って測定したＣＱＩを比較する場合には、例えば、次のような解決方法がある。
【０１４０】
ＣＱＩ測定に下り参照信号を使う場合、まず、ＵＥ１において、先頭２シンボルを用いるＣＱＩ測定として、シンボル＃０に挿入されている参照信号を用い、また、３シンボル目以降のシンボルを用いるＣＱＩ測定としては、シンボル＃７に挿入されている参照信号を用いて、ＣＱＩ測定を行う。そのＣＱＩ測定結果を、ＣＱＩ＿ｓｙｍ０  、ＣＱＩ＿ｓｙｍ７とそれぞれ示す。
【０１４１】
次に、これらＣＱＩ＿ｓｙｍ０  、ＣＱＩ＿ｓｙｍ７を比較して、ＲＮのサブフレームが通常サブフレームか、又は「ＲＮがバックホールとして用いるＭＢＳＦＮサブフレーム」かを、判定する。例えば、ＣＱＩ＿ｓｙｍ０と、ＣＱＩ＿ｓｙｍ７との差の絶対値（以下、ＣＱＩ＿ｓｙｍの差という）に対して、ある閾値Ｔｈ＿ｓｙｍをあらかじめ設定しておき、ＵＥ１は、ＣＱＩ＿ｓｙｍの差と閾値Ｔｈ＿ｓｙｍとを比較することで、ＲＮのサブフレームが通常サブフレームか、又は「ＲＮがバックホールとして用いるＭＢＳＦＮサブフレーム」かを、判定することができる。
【０１４２】
つまり、ＣＱＩ＿ｓｙｍの差が閾値Ｔｈ＿ｓｙｍ未満であれば、ＵＥ１は、ＣＱＩ＿ｓｙｍ０と、ＣＱＩ＿ｓｙｍ７とに差がないのでサブフレーム内のどのシンボルでも同じ品質であると判断し、ＵＥ１は、ＲＮのサブフレームが通常のサブフレームであると判定する。一方、ＣＱＩ＿ｓｙｍの差が閾値Ｔｈ＿ｓｙｍ以上であれば、ＵＥ１は、ＣＱＩ＿ｓｙｍ０と、ＣＱＩ＿ｓｙｍ７とに差があるので、先頭２シンボルと３シンボル目以降のシンボルでは品質に差があると判断して、ＵＥ１は、ＲＮのサブフレームが、「ＲＮがバックホールとして用いるＭＢＳＦＮサブフレーム」であると判定する。
【０１４３】
上述したＣＱＩ＿ｓｙｍの差と閾値Ｔｈ＿ｓｙｍとで表現される判断条件は、ＣＱＩ＿ｓｙｍ０  、ＣＱＩ＿ｓｙｍ７、Ｔｈ＿ｓｙｍを用いて次式（３）及び式（４）で表される。
【０１４４】
【数３】
2010131487.tif 000005
【０１４５】
【数４】
2010131487.tif 000006
【０１４６】
つまり、ＣＱＩ＿ｓｙｍ０  、ＣＱＩ＿ｓｙｍ７、Ｔｈ＿ｓｙｍが式（３）を満たしていれば、ＵＥ１は、ＲＮのサブフレームが通常のサブフレームであると判定する。一方、ＣＱＩ＿ｓｙｍ０  、ＣＱＩ＿ｓｙｍ７、Ｔｈ＿ｓｙｍが式（４）を満たしていれば、ＵＥ１は、ＲＮのサブフレームが、「ＲＮがバックホールとして用いるＭＢＳＦＮサブフレーム」であると判定する。
【０１４７】
そして、ＵＥ１において判断したＲＮのサブフレームに応じて、ＣＱＩ測定方法を選択する。ＲＮのサブフレームが通常のサブフレームの場合、サブフレーム内のシンボルでは同じ品質となるので、数多くのシンボルを用いて平均化することでＣＱＩ測定精度を向上できることから、ＵＥ１は、サブフレームの全ての領域を使うＣＱＩ測定モードを選択して、ｅＮＢからＵＥ１への回線（自セルの回線）に関するＣＱＩを測定する。一方、ＲＮのサブフレームが、「ＲＮがバックホールとして用いるＭＢＳＦＮサブフレーム」の場合、変形例１と同様、ＵＥ１は、先頭２シンボルを除いた３シンボル目以降の領域を使うＣＱＩ測定モードを選択して、ｅＮＢからＵＥ１への回線（自セルの回線）に関するＣＱＩを測定する。ＵＥ１は、測定したＣＱＩとあわせて、どちらの測定モードで測定したかをフィードバック情報として、ｅＮＢにフィードバックする。
【０１４８】
上述のように、本実施の形態の変形例２では、ＵＥ１は、先頭２シンボルを用いて測定した、ｅＮＢからＵＥ１への回線（自セルの回線）に関するＣＱＩと、３シンボル目以降のシンボルを用いて測定した、ｅＮＢからＵＥ１への回線（自セルの回線）に関するＣＱＩとを比較する。そして、その比較結果に基づき、ＵＥ１は、ＲＮのサブフレームが通常サブフレームであるか、又は「ＲＮがバックホールとして用いるＭＢＳＦＮサブフレーム」であるかを判定する。さらに、その判定結果に基づき、ＵＥ１は、それぞれに適したｅＮＢのＣＱＩ測定を行い、測定したＣＱＩとあわせて、どちらの測定モードで測定したかをフィードバック情報として、ｅＮＢにフィードバックする。そのため、ｅＮＢ配下のＵＥ１において、ＲＮからの干渉がない場合の、ｅＮＢからＵＥ１への回線（自セルの回線）に関するＣＱＩを精度良く測定できる。また、ｅＮＢからＵＥ１に、ＲＮに関する情報を通知する必要がなくなり、本実施の形態と比べて、変形例２では、下り回線のシグナリングのオーバヘッドを、より削減できるといった効果を奏する。
【０１４９】
次に、図１７を参照して、変形例２における、無線通信端末９００の構成について説明する。図１７は、変形例２における、無線通信端末９００の構成を示すブロック図である。図１７に示す無線通信端末９００は、アンテナ３０１と、スイッチ（ＳＷ）３０３と、受信ＲＦ部３０５と、受信処理部３０７と、ＣＱＩ測定用信号抽出部３０９と、シンボル抽出部９０１と、ＣＱＩ測定部９０３Ａと、ＣＱＩ測定部９０３Ｂと、サブフレーム判定部９０５と、ＣＱＩメモリ部９０７と、フィードバック情報生成部９０９と、送信処理部３２９と、送信ＲＦ部３３１と、から構成されている。
【０１５０】
ここで、図１７に示す無線通信端末９００が、図６に示す無線通信端末３００Ａと異なる点は、シンボル抽出部９０１と、ＣＱＩ測定部９０３Ａと、ＣＱＩ測定部９０３Ｂと、サブフレーム判定部９０５と、ＣＱＩメモリ部９０７と、フィードバック情報生成部９０９とである。こられの点以外は実施の形態と同様であり、図１７において、図６と共通する構成要素には同じ参照符号が付されている。また、共通する構成要素について、その説明を省略する。
【０１５１】
シンボル抽出部９０１は、ＣＱＩ測定用信号抽出部３０９から抽出されたＣＱＩ測定に用いる信号から、先頭２シンボルを除いた３シンボル目以降の領域の信号を抽出して、ＣＱＩ測定部９０３Ａに出力する。
【０１５２】
ＣＱＩ測定部９０３Ａは、シンボル抽出部９０１で抽出した３シンボル目以降の領域のＣＱＩ測定に用いる信号を入力して、実施の形態と同じ「ＲＮがバックホールとして用いるＭＢＳＦＮサブフレーム」となる場合のＣＱＩ測定を行い、測定したＣＱＩをサブフレーム判定部９０５に出力する。
【０１５３】
ＣＱＩ測定部９０３Ｂは、ＣＱＩ測定に用いる信号を入力して、全てのシンボルを用いてＣＱＩ測定を行い、測定したＣＱＩをサブフレーム判定部９０５に出力する。
【０１５４】
サブフレーム判定部９０５は、ＣＱＩ測定部９０３ＡとＣＱＩ測定部９０３Ｂとで測定したＣＱＩを比較して、ＲＮのサブフレームが通常のサブフレームであるか、又は「ＲＮがバックホールとして用いるＭＢＳＦＮサブフレーム」であるかを、判定する。そして、その判定結果とともにＣＱＩをＣＱＩメモリ部９０７に出力する。
【０１５５】
ここで、サブフレーム判定部９０５が、ＲＮのサブフレームが通常のサブフレームと判定した場合、ＣＱＩ測定部９０３ＢからのＣＱＩ測定結果をＣＱＩメモリ部９０７に出力する。一方、サブフレーム判定部９０５が、ＲＮのサブフレームが、「ＲＮがバックホールとして用いるＭＢＳＦＮサブフレーム」であると判定した場合、ＣＱＩ測定部９０３ＡからのＣＱＩ測定結果をＣＱＩメモリ部９０７に出力する。
【０１５６】
ＣＱＩメモリ部９０７は、サブフレーム判定部９０５から入力される、ＣＱＩの値と、ＲＮのサブフレームの判定結果とを記憶し、フィードバック情報生成部９０９に出力する。
【０１５７】
フィードバック情報生成部９０９は、ＣＱＩメモリ部９０７で記憶したＣＱＩとＲＮのサブフレームの判定結果を用いて、基地局７００にフィードバックするフィードバック情報を生成して、送信処理部３２９に出力する。
【０１５８】
次に、図１８を参照して、基地局７００の構成を説明する。図１８は、変形例２における、基地局７００の構成を示すブロック図である。ここで、図１８に示す基地局７００が、図７に示す基地局１００と異なる点は、ＣＱＩ情報抽出部１１９とＣＱＩメモリ部１１７に代わって、ＣＱＩ情報・判定結果抽出部７０１とＣＱＩ・判定結果メモリ部７０３がある点と、ＲＮ情報とＣＱＩ測定方法指示部１１３がない点である。これらの点以外は実施の形態と同様であり、図１８において、図７と共通する構成要素には同じ参照符号が付されている。また、共通する構成要素について、その説明を、省略する。
【０１５９】
ＣＱＩ情報・判定結果抽出部７０１は、受信処理部１２１で分離した制御情報の中から、無線通信端末９００からフィードバックされたサブフレーム情報とそのサブフレームにおけるＣＱＩを抽出し、ＣＱＩ・判定結果メモリ部７０３に出力する。
【０１６０】
ＣＱＩ・判定結果メモリ部７０３は、無線通信端末９００からフィードバックされたサブフレーム情報とそのサブフレームにおけるＣＱＩを記憶し、スケジューリング部１１５に出力する。
【０１６１】
次に、図１９を参照して、変形例２における、無線通信端末９００（ＵＥ１）のＣＱＩ測定の処理フローを説明する。図１９は、変形例２における、無線通信端末９００のＣＱＩ測定の処理フローを示す図である。
【０１６２】
ステップ（ＳＴ１０１）では、アンテナ３０１でｅＮＢからの信号を受信して、受信ＲＦ部３０５及び受信処理部３０７で受信処理を行う。
【０１６３】
ステップ（ＳＴ１０２）では、ＣＱＩ測定用信号抽出部３０９が、ステップ（ＳＴ１０１）において受信処理した信号から、ＣＱＩ測定に用いる信号を抽出する。
【０１６４】
ステップ（ＳＴ１０３）では、シンボル抽出部９０１が、ステップ（ＳＴ１０２）で抽出したＣＱＩ測定に用いる信号において、先頭２シンボルを除いた領域のシンボルを抽出する。
【０１６５】
ステップ（ＳＴ１０４−１）では、ＣＱＩ測定部９０３Ａが、ステップ（ＳＴ１０３）で抽出した信号を用いて、ＣＱＩ測定を行う。ＣＱＩ測定部９０３ＡのＣＱＩ測定結果をＣＱＩ１とする。
【０１６６】
ステップ（ＳＴ１０４−２）では、ＣＱＩ測定部９０３Ｂが、ステップ（ＳＴ１０２）で抽出したＣＱＩ測定に用いる信号において、全シンボル領域の信号を使って、ＣＱＩ測定を行う。ＣＱＩ測定部９０３ＢのＣＱＩ測定結果をＣＱＩ２とする。
【０１６７】
ステップ（ＳＴ１０５）では、サブフレーム判定部９０５が、ステップ（ＳＴ１０４−１）とステップ（ＳＴ１０４−２）とで測定したＣＱＩの測定結果であるＣＱＩ１とＣＱＩ２とを比較して、ＲＮのサブフレームが、通常のサブフレームであるか、又は、「ＲＮがバックホールとして用いるＭＢＳＦＮサブフレーム」かを、判定する。なお、判定方法は、例えば、式（１）及び式（２）を用いて判定する方法や、式（３）及び式（４）を用いて判定する方法などがある。
【０１６８】
ステップ（ＳＴ１０６−１）では、ＣＱＩメモリ部９０７は、ステップ（ＳＴ１０５）において、ＲＮのサブフレームが「ＲＮがバックホールとして用いるＭＢＳＦＮサブフレーム」と判定した場合、その判定結果とＣＱＩ１とを記憶する。
【０１６９】
ステップ（ＳＴ１０６−２）では、ＣＱＩメモリ部９０７は、ステップ（ＳＴ１０５）において、ＲＮのサブフレームが通常サブフレームと判定した場合、その判定結果とＣＱＩ２とを記憶する。
【０１７０】
ステップ（ＳＴ１０７）では、フィードバック情報生成部９０９は、ステップ（ＳＴ１０６−１）又はステップ（ＳＴ１０６−２）で記憶したサブフレーム判定結果とＣＱＩの値からフィードバック情報を生成する。
【０１７１】
ステップ（ＳＴ１０８）では、送信処理部３２９及び送信ＲＦ部３３１は、ステップ（ＳＴ１０７）で生成したフィードバック情報に対して送信処理を行い、ｅＮＢに送信する。
【０１７２】
上述のように、本実施の形態の変形例２では、ＵＥ１は、先頭２シンボルを用いて測定したｅＮＢのＣＱＩと、３シンボル目以降のシンボルを用いて測定したｅＮＢのＣＱＩとを比較して、ＲＮのサブフレームが、通常サブフレームか、又は「ＲＮがバックホールとして用いるＭＢＳＦＮサブフレーム」を判断し、ＵＥ１は、それぞれに適したｅＮＢのＣＱＩ測定を行い、ｅＮＢにフィードバックする。
そのため、ｅＮＢ配下のＵＥ１において、ＲＮからの干渉がない場合のＣＱＩを精度良く測定できる。また、ｅＮＢからＵＥ１に、ＲＮに関する情報を通知する必要がなくなるので、本実施の形態と比べて、下り回線のシグナリングのオーバヘッドを削減できるといった効果もある。
【０１７３】
なお、上記実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１７４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７５】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１７６】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１７７】
本発明を詳細にまた特定の実施態様を参照して説明したが、本発明の精神と範囲を逸脱することなく様々な変更や修正を加えることができることは当業者にとって明らかである。
【０１７８】
本出願は、２００９年５月１５日出願の日本特許出願（特願２００９−１１９１０４）、に基づくものであり、その内容はここに参照として取り込まれる。
【産業上の利用可能性】
【０１７９】
本発明に係る無線通信端末及び通信方法は、隣接セルの干渉がない状態の、自セルの回線品質を精度良く測定できる。を有し、基地局とデータを送受信する無線通信端末等として有用である。
【符号の説明】
【０１８０】
１００、４００、７００  基地局
１０５                  送信ＲＦ部
１０７                  送信処理部
１０９                  信号多重部
１１１                  制御情報生成部
１１３                  ＣＱＩ測定方法指示部
１１５                  スケジューリング部
１１７                  ＣＱＩメモリ部
１１９                  ＣＱＩ情報抽出部
１２１                  受信処理部
１２３                  受信ＲＦ部
２００、５００Ａ、５００Ｂ、８００  中継局
３００Ａ、３００Ｂ、６００、９００Ａ、９００Ｂ  無線通信端末
３０１                  アンテナ
３０３                  スイッチ（ＳＷ）
３０５                  受信ＲＦ部
３０７                  受信処理部
３０９                  ＣＱＩ測定用信号抽出部
３１１                  ＲＮ情報取得部
３１３                  信号抽出制御部
３１５                  サブフレーム抽出部
３１７                  制御情報取得部
３１９                  ＣＱＩ測定制御部
３２１                  シンボル抽出部
３２３                  ＣＱＩ測定部
３２５                  ＣＱＩメモリ部
３２７                  フィードバック情報生成部
３２９                  送信処理部
３３１                  送信ＲＦ部
４０１                  ＣＱＩ・サブフレームメモリ部
６０１                  高品質サブフレーム検出部
６０３                  フィードバック情報生成部
７０１                  ＣＱＩ情報・判定結果抽出部
７０３                  ＣＱＩ・判定結果メモリ部
９０１                  シンボル抽出部
９０３Ａ                ＣＱＩ測定部
９０３Ｂ                ＣＱＩ測定部
９０５                  サブフレーム判定部
９０７                  ＣＱＩメモリ部
９０９                  フィードバック情報生成部
【図１】
2010131487.tif 000007
【図２】
2010131487.tif 000008
【図３】
2010131487.tif 000009
【図４】
2010131487.tif 000010
【図５】
2010131487.tif 000011
【図６】
2010131487.tif 000012
【図７】
2010131487.tif 000013
【図８】
2010131487.tif 000014
【図９】
2010131487.tif 000015
【図１０】
2010131487.tif 000016
【図１１】
2010131487.tif 000017
【図１２】
2010131487.tif 000018
【図１３】
2010131487.tif 000019
【図１４】
2010131487.tif 000020
【図１５】
2010131487.tif 000021
【図１６】
2010131487.tif 000022
【図１７】
2010131487.tif 000023
【図１８】
2010131487.tif 000024
【図１９】
2010131487.tif 000025
【図２０】
2010131487.tif 000026
【図２１】
2010131487.tif 000027
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
基地局と接続され、前記基地局とデータを送受信する無線通信端末であって、
自セルの回線品質を測定するための制御情報を含む信号を、前記基地局から受信する受信部と、
前記受信部で受信した前記信号から、前記制御情報を抽出する抽出部と、
前記基地局が送信を行っている全ての時間領域において、自セルの回線品質を測定する第１の測定部と、
前記制御情報に基づき、隣接セルを構成する他の通信局が送信を停止している時間領域において、自セルの回線品質を測定する第２の測定部と、
前記制御情報に基づき、前記第１の測定部と前記第２の測定部とに切り替える測定制御部と、
前記測定制御部で切り替えた前記第１の測定部あるいは前記第２の測定部で測定した前記自セルの回線品質の測定結果を、前記基地局へ送信する送信部と、
を備える無線通信端末。
【請求項２】
請求項１に記載の無線通信端末であって、
前記第２の測定部は、前記制御情報に基づき、前記隣接セルを構成する中継局が送信を停止している時間領域において、前記自セルの回線品質を測定する無線通信端末。
【請求項３】
請求項２に記載の無線通信端末であって、
前記第２の測定部は、前記制御情報に基づき、前記中継局がバックホールとして用いるＭＢＳＦＮサブフレームにおいて、前記自セルの回線品質を測定する無線通信端末。
【請求項４】
請求項３に記載の無線通信端末であって、
前記第２の測定部は、前記制御情報に基づき、前記中継局がバックホールとして用いるＭＢＳＦＮサブフレームにおいて、先頭２シンボルを除いた３シンボル目以降の領域で、前記自セルの回線品質を測定する無線通信端末。
【請求項５】
請求項１に記載の無線通信端末であって、
前記第２の測定部は、前記制御情報に基づき、前記他の通信局が送信を停止している時間領域において、前記自セルの回線品質を複数回測定し、前記複数の回線品質の測定結果を平均化する無線通信端末。
【請求項６】
請求項１に記載の無線通信端末であって、
更に、前記第２の測定部で測定した前記自セルの回線品質から最も高品質な自セルの回線品質を検出する検出部をさらに備え、
前記送信部は、前記検出結果および前記検出結果に対応する時間領域の位置情報を前記基地局へ送信する無線通信端末。
【請求項７】
請求項６に記載の無線通信端末であって、
前記第２の測定部は、前記制御情報に基づき、他のセルを構成する複数の前記中継局がバックホールとして用いるＭＢＳＦＮサブフレームの先頭２シンボルを除いた３シンボル目以降の領域で、前記自セルの回線品質を測定し、
前記検出部は、前記第２の測定部で測定した前記複数の自セルの回線品質から最も高品質な自セルの回線品質を検出し、
前記送信部は、前記検出結果および前記検出結果に対応する時間領域の位置情報を前記基地局へ送信する無線通信端末。
【請求項８】
基地局と接続され、前記基地局とデータを送受信する無線通信端末で用いられる通信方法であって、
自セルの回線品質を測定するための制御情報を含む信号を、前記基地局から受信し、
受信した前記信号から、前記制御情報を抽出し、
前記基地局が送信を行っている全ての時間領域において回線品質の測定を行う第１の測定方法と、隣接セルを構成する他の通信局が送信を停止している時間領域において回線品質の測定を行う第２の測定方法とを、前記制御情報に基づいて切り替え制御し、切り替えた前記第１の測定方法あるいは前記第２の測定方法で、前記自セルの回線品質を測定し、
測定した前記自セルの回線品質の測定結果を、前記基地局へ送信する、
通信方法。
【請求項９】
請求項１に記載の無線通信端末であって、
前記制御情報は、前記隣接セルを構成する他の通信局が送信を行っているか否かを示す情報であり、
前記測定制御部は、前記制御情報に基づいて、前記第１の測定部と前記第２の測定部とに切り替える無線通信端末。
【手続補正書】
【提出日】平成23年10月3日(2011.10.3)
【手続補正１】
【補正対象書類名】明細書
【補正対象項目名】全文
【補正方法】変更
【補正の内容】
【発明の詳細な説明】
【技術分野】
【０００１】
本発明は、基地局とデータを送受信する無線通信端末及び通信方法に関する。
【背景技術】
【０００２】
移動通信の国際的な標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）において、第４世代の移動通信システムとしてＬＴＥ−Ａｄｖａｎｃｅｄ（Ｌｏｎｇ  Ｔｅｒｍ  Ｅｖｏｌｕｔｉｏｎ−Ａｄｖａｎｃｅｄ、ＬＴＥ−Ａ）の標準化が開始された。ＬＴＥ−Ａでは、非特許文献１のように、カバレッジの拡大やキャパシティの向上を目的として、中継局（Ｒｅｌａｙ  Ｎｏｄｅ）を用いて無線信号を中継するＲｅｌａｙ技術が検討されている。
【０００３】
ここで、図２０を参照し、Ｒｅｌａｙ技術について説明する。図２０は、Ｒｅｌａｙ技術を用いて無線信号を中継する無線通信システムを示す図である。図２０において、ｅＮＢは基地局、ＲＮは中継局、ＵＥは無線通信端末をそれぞれ示す。また、ＵＥ１はｅＮＢに接続する無線通信端末、ＵＥ２はＲＮに接続する無線通信端末をそれぞれ示す。
【０００４】
ＬＴＥ−Ａでは、ＲＮもｅＮＢと同様に、個別のセルＩＤを持つことが検討されており、これにより、ＵＥからみると、ＲＮもｅＮＢと同様に、１つのセルとみなすことができる。ｅＮＢは有線通信でネットワークに接続し、一方、ＲＮは無線通信でｅＮＢと接続している。ＲＮとｅＮＢとを接続する通信回線は、バックホール（ｂａｃｋｈａｕｌ）回線と呼ばれている。これに対して、ｅＮＢ又はＲＮとＵＥとを接続する通信回線は、アクセス（ａｃｃｅｓｓ）回線と呼ばれている。
【０００５】
下り回線では、例えば、図２０に示すように、ＲＮは、バックホール回線においてｅＮＢからの信号を受信（図中、矢印Ａ）して、ＲＮのアクセス回線においてＵＥ２に対して信号を送信（図中、矢印Ｂ）する。バックホール回線とアクセス回線とを同一の周波数帯域の中に収容する場合、ＲＮが送受信を同時に行うと回り込みによる干渉が発生する。そのため、ＲＮは送受信を同時に行うことができない。したがって、ＬＴＥ−Ａでは、バックホール回線とＲＮのアクセス回線とを、時間領域（サブフレーム単位）で分割して割当てるＲｅｌａｙ方式が検討されている。
【０００６】
図２１を参照し、上述したＲｅｌａｙ方式について説明する。図２１は、Ｒｅｌａｙ方式における下り回線のサブフレーム構成を示す図である。図中の記号［ｎ、ｎ＋１、・・・］はサブフレーム番号を示し、図中のボックスは下り回線のサブフレームを示している。また、ｅＮＢの送信サブフレーム（図中、網掛け部）、ＵＥ１の受信サブフレーム（図中、空白部）、ＲＮの送信サブフレーム（図中、右斜線部）、ＵＥ２の受信サブレーム（図中、左斜線部）を示している。
【０００７】
図２１の矢印（太線）で示すように、ｅＮＢから、全てのサブフレーム［ｎ、ｎ＋１、・・・、ｎ＋６］において信号が送信されている。また、図２１の矢印（太線）又は矢印（破線）で示すように、ＵＥ１では全てのサブフレームにおいて受信することができる。一方で、図２１の矢印（破線）又は矢印（細線）で示すように、ＲＮでは、サブフレーム番号［ｎ＋２、ｎ＋６］を除いたサブフレームにおいて信号が送信されている。また、図２１の矢印（細線）で示すように、ＵＥ２では、サブフレーム番号［ｎ＋２、ｎ＋６］を除いたサブフレームにおいて信号を受信することができる。そして、ＲＮは、サブフレーム番号［ｎ＋２、ｎ＋６］のサブフレームにおいて、ｅＮＢからの信号を受信する。つまり、ＲＮでは、サブフレーム番号［ｎ＋２、ｎ＋６］のサブフレームがバックホール回線となり、それ以外のサブフレームがＲＮのアクセス回線となる。
【０００８】
しかしながら、ＲＮがバックホールとなるサブフレーム［ｎ＋２、ｎ＋６］において、ＲＮがｅＮＢから信号を送信しないと、ＲＮの存在をしらないＬＴＥの無線通信端末において、ＲＮの品質を測定するメジャメント動作が機能しなくなるという問題が発生する。上記問題を解決する方法として、ＬＴＥ−Ａでは、ＬＴＥにおいて規定されているＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームを用いることが検討されている。
【０００９】
ＭＢＳＦＮサブフレームは、将来的にＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）サービスを実現するために用意されているサブフレームである。ＭＢＳＦＮサブフレームでは、先頭２シンボルでセル固有の制御情報を送信し、３シンボル目以降の領域でＭＢＭＳ用の信号を送信する仕様になっている。そのため、ＬＴＥの無線通信端末は、ＭＢＳＦＮサブフレームでは、先頭２シンボルを使ってメジャメントを行うことができる。
【００１０】
ＭＢＳＦＮサブフレームは、ＲＮセルにおいて擬似的に用いることができる。つまり、ＲＮセルにおいて、ＭＢＳＦＮサブフレームの先頭２シンボルでは、ＲＮセル固有の制御情報を送信し、３シンボル目以降の領域では、ＭＢＭＳ用のデータを送信しないで、ｅＮＢからの信号を受信する。このため、ＲＮセルにおいて、ＭＢＳＦＮサブフレームをバックホール回線の受信サブフレームとして用いることができる。以下、上述したように、ＲＮセルにおいて擬似的に用いたＭＢＳＦＮサブフレームを、「ＲＮがバックホールとして用いるＭＢＳＦＮサブフレーム」と呼ぶ。
【００１１】
ここで、図２１におけるＲＮのサブフレーム［ｎ＋２、ｎ＋６］では、ＲＮから信号が送信されないので、ＵＥ１にとっては、ＲＮからの干渉がなくなり、ＳＩＲ（信号対干渉電力比）が改善する。ｅＮＢは、ＳＩＲが改善するＵＥを、サブフレーム［ｎ＋２、ｎ＋６］において積極的に割当てて、ＵＥにおけるユーザスループットが向上し、これによりセル全体のスループットが向上する。そこで、セル全体のスループットを向上させるために、ｅＮＢは、ＵＥにおける回線品質を知る必要がある。
【先行技術文献】
【非特許文献】
【００１２】
【非特許文献１】３ＧＰＰ  ＴＲ３６．８１４  ｖ０．４．１  （２００９−０２）  “Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”
【非特許文献２】３ＧＰＰ  ＴＳ３６．２１３  ｖ８．５．０  （２００８−１２）  “Ｐｈｙｓｉｃａｌ  ｌａｙｅｒ  ｐｒｏｃｅｄｕｒｅｓ  （Ｒｅｌｅａｓｅ  ８）”
【発明の概要】
【発明が解決しようとする課題】
【００１３】
しかしながら、ＬＴＥのＣＱＩ測定では、ｅＮＢ配下のＵＥ１は、ＣＱＩを測定するリソースにおいてＲＮからの干渉があると、ＲＮからの干渉がない場合のＣＱＩを精度良く測定できない。
【００１４】
ここで、ＣＱＩ（Ｃｈａｎｎｅｌ  Ｑｕａｌｉｔｙ  Ｉｎｄｉｃａｔｏｒ）とは、受信側から見た受信回線の品質のことである。受信側から送信側にＣＱＩをフィードバックして、送信側がフィードバックされたＣＱＩに応じて、受信側に送信する信号の変調方式と符号化率を選択する。
【００１５】
本発明の目的は、隣接セルの干渉がない状態の、自セルの回線品質を精度良く測定できる無線通信端末及び通信方法を提供することである。
【課題を解決するための手段】
【００１６】
本発明の無線通信端末は、基地局と接続され、前記基地局とデータを送受信する無線通信端末であって、前記基地局から、自セルの回線品質を測定するための制御情報を含む信号を受信する受信部と、前記受信部で受信した前記信号から、前記制御情報を抽出する抽出部と、前記制御情報に基づき、隣接セルが信号を送信していない領域において、自セルの回線品質を測定する測定部と、前記測定部で測定した、前記自セルの回線品質の測定結果を、前記基地局へ送信する送信部と、を備える。
【００１７】
上記無線通信端末では、前記測定部は、前記制御情報に基づき、前記隣接セルである中継局が信号を送信していない領域において、前記自セルの回線品質を測定する。
【００１８】
上記無線通信端末では、前記測定部は、前記制御情報に基づき、前記隣接セルである前記中継局がバックホールとして用いるＭＢＳＦＮサブフレームにおいて、前記自セルの回線品質を測定する。
【００１９】
上記無線通信端末では、前記測定部は、前記制御情報に基づき、前記隣接セルである前記中継局がバックホールとして用いるＭＢＳＦＮサブフレームにおいて、先頭２シンボルを除いた３シンボル目以降の領域で、前記自セルの回線品質を測定する。
【００２０】
上記無線通信端末では、前記測定部は、前記制御情報に基づき、隣接セルが信号を送信していない領域において、前記自セルの回線品質を複数回測定し、平均化する。
【００２１】
上記無線通信端末では、更に、前記測定部で測定した前記自セルの回線品質から最も高品質な自セルの回線品質を検出する検出部を備える。
【００２２】
上記無線通信端末では、前記測定部は、前記制御情報に基づき、前記隣接セルである複数の前記中継局がバックホールとして用いるＭＢＳＦＮサブフレームの先頭２シンボルを除いた３シンボル目以降の領域で、前記自セルの回線品質を測定し、前記検出部は、前記測定部で測定した前記自セルの回線品質から最も高品質な自セルの回線品質を検出する。
【発明の効果】
【００２３】
本発明に係る無線通信端末及び通信方法によれば、隣接セルの干渉がない状態の、自セルの回線品質を精度良く測定できる。
【図面の簡単な説明】
【００２４】
【図１】本発明の実施の形態における、Ｒｅｌａｙ技術を用いて無線信号を中継する無線通信システムを示す図
【図２】本実施の形態において、「ＲＮがバックホールとして用いるＭＢＳＦＮサブフレーム」を示す図
【図３】本実施の形態において、ｅＮＢ配下のＵＥがＣＱＩ測定するサブフレームを示す図
【図４】本実施の形態における、下り回線サブフレームの一例を示す図
【図５】本実施の形態における、下り回線のサブフレームの他の例を示す図
【図６】本実施の形態に係る無線通信端末３００Ａの構成を示すブロック図
【図７】本実施の形態に係る基地局１００の構成を示すブロック図
【図８】本実施の形態に係る無線通信端末３００ＡにおけるＣＱＩ測定の処理フロー図
【図９】本実施の形態の変形例１における、Ｒｅｌａｙ技術を用いて無線信号を中継する無線通信システムを示す図
【図１０】変形例１における、下り回線のサブフレームを示す図
【図１１】変形例１における、無線通信端末６００の構成を示すブロック図
【図１２】変形例１における、基地局４００の構成を示すブロック図
【図１３】変形例１における、無線通信端末６００のＣＱＩ測定の処理フローを示す図
【図１４】変形例２における、Ｒｅｌａｙ技術を用いて無線信号を中継する無線通信システムを示す図
【図１５】変形例２における、下り回線のサブフレームのシンボルの一例を示す図
【図１６】変形例２における、下り回線のサブフレームのシンボルの他の例を示す図
【図１７】変形例２における、無線通信端末９００の構成を示すブロック図
【図１８】変形例２における、基地局７００の構成を示すブロック図
【図１９】変形例２における、無線通信端末９００のＣＱＩ測定の処理フローを示す図
【図２０】Ｒｅｌａｙ技術を用いて無線信号を中継する無線通信システムを示す図
【図２１】Ｒｅｌａｙ方式における下り回線のサブフレーム構成を示す図
【発明を実施するための形態】
【００２５】
図１は、本発明の実施の形態における、Ｒｅｌａｙ技術を用いて無線信号を中継する無線通信システムを示す図である。本実施の形態では、図１において、ｅＮＢは基地局１００、ＲＮは中継局２００、ＵＥ１は無線通信端末３００Ａ、ＵＥ２は無線通信端末３００Ｂをそれぞれ示す。無線通信端末３００Ａ（ＵＥ１）は、基地局１００に接続する無線通信端末であり、無線通信端末３００Ｂ（ＵＥ２）は、中継局２００（ＲＮ）に接続する無線通信端末とする。無線通信端末３００Ａ（ＵＥ１）が、基地局１００の配下の無線通信端末（ＵＥ）である。 また、中継局２００（ＲＮ）は、基地局１００に接続する中継局とする。
【００２６】
ここで、中継局２００（ＲＮ）は、ＬＴＥ−Ａで検討されている個別のセルＩＤを持つものとする。そのため、無線通信端末３００Ａに隣接する中継局２００（ＲＮ）は、無線通信端末３００Ａから見ると、隣接セルとみなすことができる。
【００２７】
以下、説明のため、基地局１００をｅＮＢ、中継局２００をＲＮ、無線通信端末３００Ａ（ＵＥ１）をＵＥ１、無線通信端末３００ＢをＵＥ２と記載する。
【００２８】
また、以下、本実施の形態では、図１に示すように無線信号を中継する場合について説明する。つまり、ＲＮは、バックホール回線においてｅＮＢからの信号を受信（図中、矢印Ｃ）して、ＲＮのアクセス回線においてＵＥ２に対して信号を送信（図中、矢印Ｄ）する。バックホール回線とアクセス回線とを同一の周波数帯域の中に収容し、バックホール回線とＲＮのアクセス回線を時間領域（サブフレーム単位）で分割して割当てるＲｅｌａｙ方式とする。
【００２９】
図２〜図４を参照して、本発明の実施の形態において、ｅＮＢ配下のＵＥ１が、ＲＮからの干渉がない場合のｅＮＢからＵＥ１への回線（自セルの回線）に関するＣＱＩを測定するための方法について、説明する。具体的には、ｅＮＢ配下のＵＥ１が、「ＲＮがバックホールとして用いるＭＢＳＦＮサブフレーム」において、所定の領域の信号を使って、ｅＮＢからＵＥ１への回線（自セルの回線）に関するＣＱＩを測定する。
【００３０】
ここで、本実施の形態において、「ＲＮがバックホールとして用いるＭＢＳＦＮサブフレーム」とは、ＲＮセルにおいて、ＭＢＳＦＮサブフレームの先頭２シンボルではＲＮセル固有の制御情報を送信し、３シンボル目以降の領域では、ＭＢＭＳ用のデータを送信しないで、ｅＮＢからの信号を受信する、ＭＢＳＦＮサブフレームの事をいう。
【００３１】
まず、ｅＮＢ配下のＵＥ１では、ＲＮからの信号の有無により、ｅＮＢから送信される信号に対する干渉量が変化する。このため、ＲＮから信号が送信されていない領域において、ｅＮＢから送信される信号の受信ＳＩＲが改善することになる。「ＲＮがバックホールとしてＭＢＳＦＮサブフレーム」を用いる場合、サブフレームの観点とシンボルの観点とから、ＲＮから信号が送信されない領域を特定することができる。
【００３２】
まず、サブフレームの観点から、ｅＮＢ配下のＵＥ１が、「ＲＮがバックホールとしてＭＢＳＦＮサブフレーム」で、ＲＮから信号が送信されない領域を特定できる理由を説明する。
【００３３】
「ＲＮがバックホールとして用いるＭＢＳＦＮサブフレーム」を用いると、干渉量はサブフレーム単位で変化する。ＬＴＥでは、ＭＢＳＦＮサブフレームは、決められた位置に割当てられており、セルごとに個別に設定することができる。このＭＢＳＦＮサブフレームの割当位置は、システム情報としてＳＩＢ２（Ｓｙｓｔｅｍ  Ｉｎｆｏｒｍａｔｉｏｎ  Ｂｌｏｃｋ２）において、ｅＮＢもしくはＲＮからＵＥに対して通知されており、ユーザ割当のように瞬時的に変更されるものではなく、比較的長い周期で変更されるものである。このため、ＲＮがバックホールとしてＭＢＳＦＮサブフレームを用いる場合であっても、ＭＢＳＦＮサブフレームの位置はセル（ＲＮ）ごとに個別に設定される。つまり、ｅＮＢ配下のＵＥ１であっても、隣接するＲＮのバックホールとして用いられるＭＢＳＦＮサブフレームが分かれば、そのサブフレームがＲＮからの干渉が少ないサブフレームであることを特定できる。
【００３４】
次に、図２を参照して、シンボルの観点から、ｅＮＢ配下のＵＥ１が、「ＲＮがバックホールとして用いるＭＢＳＦＮサブフレーム」で、ＲＮから信号が送信されない領域を特定できる理由を説明する。図２は、「ＲＮがバックホールとして用いるＭＢＳＦＮサブフレーム」を示す図である。
【００３５】
図２に示すように、「ＲＮがバックホールとして用いるＭＢＳＦＮサブフレーム」では、ＲＮは、先頭２シンボルにおいてセル固有の制御情報などの信号を送信し、３シンボル目以降において、送信から受信に切り替えて、ｅＮＢからの信号を受信する。
【００３６】
ｅＮＢ配下のＵＥ１からみると、図２に示すＭＢＳＦＮサブフレームでは、先頭２シンボルは干渉としてみえるが、３シンボル目以降の領域では干渉がなくなる。つまり、先頭２シンボルの領域と３シンボル目以降の領域との間で、干渉量が変化している。そこで、ｅＮＢ配下のＵＥ１であっても、隣接するＲＮについて、「ＲＮがバックホールとして用いるＭＢＳＦＮサブフレーム」が分かれば、そのＭＢＳＦＮサブフレームにおいて、ＲＮからの干渉が少ないシンボルを特定することができる。
【００３７】
また、ＬＴＥでは、隣接するセル間は同期していないことを前提としていたため、隣接セル間ではサブフレームのタイミングがずれている場合があった。このため、たとえ隣接セルで送信していないサブフレームがあったとしても、自セルのサブフレームに対しては、干渉がある部分と、干渉がない部分として見えていた。また、隣接セルの信号のシンボル位置を特定するには、隣接セルに対してサブフレーム同期を取る必要があった。しかしながら、ｅＮＢとそのｅＮＢに接続するＲＮの間では、ｅＮＢから送信されるバックホールのサブフレームと「ＲＮがバックホールとして用いるＭＢＳＦＮサブフレーム」とが同期している必要がある。そのため、ｅＮＢとそのｅＮＢに接続するＲＮの間では、ｅＮＢから送信されるバックホールのサブフレームと「ＲＮがバックホールとして用いるＭＢＳＦＮサブフレーム」とが、少なくともサブフレーム単位で同期する必要がある。
【００３８】
したがって、ｅＮＢに接続しているＵＥ１は、ｅＮＢに接続するＲＮが隣接セルであっても、伝搬遅延時間程度の遅延時間は存在するが、サブフレーム単位ではほぼ同期しているといえる。これにより、「ＲＮがバックホールとして用いるＭＢＳＦＮサブフレーム」となる、ｅＮＢのサブフレームでは、サブフレーム全体にわたってＲＮはバックホールとして用いるＭＢＳＦＮサブフレームとなる。
【００３９】
上述した２つの観点から、本実施の形態では、ｅＮＢが、自配下のＵＥ１に「ＲＮがバックホールとして用いるＭＢＳＦＮサブフレーム」の位置を通知し、ｅＮＢ配下のＵＥ１は、「ＲＮがバックホールとして用いるＭＢＳＦＮサブフレーム」において、３シンボル目以降の領域の信号を使って、ｅＮＢからＵＥ１への回線（自セルの回線）に関するＣＱＩを測定する。
【００４０】
まず、ｅＮＢは、自配下のＵＥ１に、ｅＮＢに接続しているＲＮにおいて、「ＲＮがバックホールとして用いるＭＢＳＦＮサブフレーム」の位置を通知する。通知方法としては、システム情報（Ｓｙｓｔｅｍ  Ｉｎｆｏｒｍａｔｉｏｎ  Ｂｌｏｃｋ）や上位レイヤーの制御情報などを用いて通知する方法がある。
【００４１】
次に、図３を参照して、ｅＮＢ配下のＵＥ１がｅＮＢからＵＥ１への回線（自セルの回線）に関するＣＱＩを測定するサブフレームを説明する。図３は、本発明において、ｅＮＢ配下のＵＥ１がｅＮＢからＵＥ１への回線（自セルの回線）に関するＣＱＩを測定するサブフレームを示す図である。
【００４２】
図３に示すように、ｅＮＢ配下のＵＥ１では、図３で示すサブフレーム内の先頭２シンボルを除いた３シンボル目以降の領域を用いて、ｅＮＢからＵＥ１への回線（自セルの回線）に関するＣＱＩを測定するＣＱＩ測定モードを設ける。そして、「ＲＮがバックホールとして用いるＭＢＳＦＮサブフレーム」となるサブフレームにおいて、ｅＮＢ配下のＵＥ１は、図３を参照して説明したＣＱＩ測定モードで、ｅＮＢからＵＥへの回線（自セルの回線）に関するＣＱＩを測定する。
【００４３】
そして、図４に示すように、本実施の形態における下り回線サブフレームのうち、「ＲＮがバックホールとして用いるＭＢＳＦＮサブフレーム」であるサブフレーム［ｎ＋２、ｎ＋６］において、ｅＮＢ配下のＵＥ１は、上述したＣＱＩ測定モードでｅＮＢからＵＥへの回線（自セルの回線）に関するＣＱＩを測定する。
【００４４】
図１〜図４を参照して説明したように、本実施の形態では、ｅＮＢが、自配下のＵＥ１に「ＲＮがバックホールとして用いるＭＢＳＦＮサブフレーム」の位置を通知し、ｅＮＢ配下のＵＥ１は、「ＲＮがバックホールとして用いるＭＢＳＦＮサブフレーム」において、３シンボル目以降の領域の信号を使って、ｅＮＢからＵＥへの回線（自セルの回線）に関するＣＱＩを測定すると、ＲＮからの干渉がない場合のＣＱＩを精度良く測定できる。
【００４５】
次に、図６を参照して、ｅＮＢ配下のＵＥ１である無線通信端末３００Ａの構成を説明する。図６は、本実施の形態に係る無線通信端末３００Ａの構成を示すブロック図である。図６に示す無線通信端末３００Ａは、アンテナ３０１と、スイッチ（ＳＷ）３０３と、受信ＲＦ部３０５と、受信処理部３０７と、ＣＱＩ測定用信号抽出部３０９と、制御情報取得部３１７と、ＣＱＩ測定制御部３１９と、ＲＮ情報取得部３１１と、信号抽出制御部３１３と、サブフレーム抽出部３１５と、シンボル抽出部３２１と、ＣＱＩ測定部３２３と、ＣＱＩメモリ部３２５と、フィードバック情報生成部３２７と、送信処理部３２９と、送信ＲＦ部３３１と、から構成されている。
【００４６】
受信ＲＦ部３０５は、アンテナ３０１で受信した信号に対して、通信帯域以外の信号を除去するためにフィルタ処理を行い、ＩＦ周波数帯もしくはベースバンド帯に周波数変換を行い、受信処理部３０７に出力する。
【００４７】
受信処理部３０７は、受信ＲＦ部３０５から出力された信号に対して受信処理を行う。受信処理部３０７は、受信信号に多重されているデータと、参照信号と、制御情報と、ＲＮに関する情報とを分離し、それぞれを出力する。具体的には、受信処理部３０７は、ＡＤコンバータ等でアナログ信号をデジタル信号に変換し、復調処理、復号処理などを行う。
【００４８】
ＣＱＩ測定用信号抽出部３０９は、受信処理部３０７において分離された受信信号内のＣＱＩ測定に用いる信号を抽出して、サブフレーム抽出部３１５に出力する。ＣＱＩ測定に用いる信号としては、例えば、所望信号成分を測定する場合には参照信号がある。また、ＣＱＩ測定に用いる信号として、例えば、干渉成分を測定する場合にはデータ信号がある。
【００４９】
制御情報取得部３１７は、受信処理部３０７において分離された制御情報の中から、無線通信端末３００Ａに対する制御情報を取得して、無線通信端末３００Ａに対するＣＱＩ測定に関する制御情報をＣＱＩ測定制御部３１９に出力する。
【００５０】
ＣＱＩ測定制御部３１９は、制御情報取得部３１７から出力される、無線通信端末３００Ａに対するＣＱＩ測定に関する制御情報に基づいて、ＣＱＩ測定方法を制御するように、信号抽出制御部３１３に指示を出力する。ＣＱＩ測定制御部３１９が制御するＣＱＩ測定方法は、図３及び図４を参照して説明した、「ＲＮがバックホールとして用いるＭＢＳＦＮサブフレーム」に用いるＣＱＩ測定方法と、通常のＣＱＩ測定方法とである。ＣＱＩ測定制御部３１９は、制御情報取得部３１７から出力されたＣＱＩ測定に関する制御情報に基づいて、どちらのＣＱＩ測定方法を行うかを判断して、その判定結果を信号抽出制御部３１３に指示する。
【００５１】
ＲＮ情報取得部３１１は、受信処理部３０７において分離された、ＲＮに関する情報を取得して、信号抽出制御部３１３に出力する。ＲＮに関する情報としては、「ＲＮがバックホールとして用いるＭＢＳＦＮサブフレーム」の位置がある。ここで、ＲＮに関する情報は、ｅＮＢに接続しているＲＮに関する情報である。
【００５２】
信号抽出制御部３１３は、ＣＱＩ測定制御部３１９の指示に基づいて、ＲＮ情報取得部３１１から出力されるＲＮに関する情報を使って、サブフレーム抽出部３１５とシンボル抽出部３２１とに指示を出力する。ＣＱＩ測定制御部３１９から、「ＲＮがバックホールとして用いるＭＢＳＦＮサブフレーム」用のＣＱＩ測定方法で、ｅＮＢからＵＥ１への回線（自セルの回線）に関するＣＱＩを測定するように指示された場合、信号抽出制御部３１３は、ＲＮ情報取得部３１１から出力される「ＲＮがバックホールとして用いるＭＢＳＦＮサブフレーム」を抽出するように、サブフレーム抽出部３１５に指示を行い、さらに、「ＲＮがバックホールとして用いるＭＢＳＦＮサブフレーム」において先頭２シンボルを除いた３シンボル目以降の領域を抽出するようにシンボル抽出部３２１に指示を行う。また、ＣＱＩ測定制御部３１９から通常のＣＱＩ測定方法を行うように指示された場合、信号抽出制御部３１３は、全てのサブフレームを出力するようにサブフレーム抽出部３１５に指示を行い、全シンボルの領域を抽出するようにシンボル抽出部３２１に指示を行う。
【００５３】
サブフレーム抽出部３１５は、信号抽出制御部３１３の指示に基づいて、ＣＱＩ測定用信号抽出部３０９で抽出したＣＱＩ測定に用いる信号を、サブフレーム単位で抽出して、シンボル抽出部３２１に出力する。
【００５４】
なお、サブフレーム抽出部３１５は、ＣＱＩ測定用信号抽出部３０９で抽出したＣＱＩ測定に用いる信号をバッファリングする機能を備えても良い。また、サブフレーム抽出部３１５は、信号抽出制御部３１３の指示に基づいて、バッファリングした信号から、サブフレーム単位で信号を抽出して出力しても良い。
【００５５】
シンボル抽出部３２１は、信号抽出制御部３１３の指示に基づいて、サブフレーム抽出部３１５で抽出したサブフレーム単位のＣＱＩ測定に用いる信号を、シンボル領域で抽出して、ＣＱＩ測定部３２３に出力する。
【００５６】
ＣＱＩ測定部３２３は、シンボル抽出部３２１で抽出されたＣＱＩ測定に用いる信号を用いて、ｅＮＢからＵＥ１への回線（自セルの回線）に関するＣＱＩの測定を行い、測定したＣＱＩをＣＱＩメモリ部３２５に出力する。例えば、所望信号成分を測定する場合、ＣＱＩ測定部３２３は、受信信号の参照信号を使ってチャネル推定を行い、そのチャネル推定結果から所望信号成分の受信電力を測定する方法がある。また、干渉成分を測定する場合、ＣＱＩ測定部３２３は、データ領域を用いて、受信電力を測定して、所望データの受信電力を引くことで、干渉成分の受信電力を測定する方法がある。後者の場合、所望データの受信電力は、前述した所望信号成分の受信電力から求めるといった方法がある。
【００５７】
ＣＱＩメモリ部３２５は、ＣＱＩ測定部３２３で測定したＣＱＩを記憶し、フィードバック情報生成部３２７に出力する。
【００５８】
フィードバック情報生成部３２７は、ＣＱＩメモリ部３２５で記憶したＣＱＩを用いて、基地局１００にフィードバックする情報を生成して、送信処理部３２９に出力する。
【００５９】
送信処理部３２９は、フィードバック情報生成部３２７で生成したフィードバック情報を、基地局１００にフィードバックできるように送信処理を行い、送信ＲＦ部３３１に出力する。送信処理には、例えば、送信データやフィードバック情報などの信号の多重や、符号化処理、変調処理などがある。
【００６０】
送信ＲＦ部３３１は、送信処理部３２９で送信処理された送信信号に対して、ＲＦ周波数への周波数変換、電力増幅、送信フィルタ処理を行い、アンテナ３０１に出力する。
【００６１】
次に、図７を参照して、基地局１００の構成を説明する。図７は、本実施の形態に係る基地局１００の構成を示すブロック図である。図７に示す基地局１００は、ＣＱＩ測定方法指示部１１３と、制御情報生成部１１１と、信号多重部１０９と、送信処理部１０７と、送信ＲＦ部１０５と、受信ＲＦ部１２３と、受信処理部１２１と、ＣＱＩ情報抽出部１１９と、ＣＱＩメモリ部１１７と、スケジューリング部１１５と、から構成されている。また、信号多重部１０９に入力されるとして、参照信号と、送信データと、ＲＮ情報とがある。参照信号は、送受信間で既知の信号により構成されていて、信号多重部１０９に入力される。参照信号は、例えば、受信側の復調用のチャネル推定や、ＣＱＩ測定などに用いられる。送信データは、各無線通信端末３００Ａ、３００Ｂに対する送信データであり、信号多重部１０９に入力される。ＲＮ情報は、基地局１００に接続している中継局（ＲＮ）に関する情報であり、信号多重部１０９に入力される。
【００６２】
ＣＱＩ測定方法指示部１１３は、無線通信端末３００Ａにおいて用いるＣＱＩ測定を制御する指示を、制御情報生成部１１１に出力する。
【００６３】
なお、ＣＱＩ測定方法指示部１１３は、無線通信端末３００Ａが備えていても良い。無線通信端末３００ＡがＣＱＩ測定方法指示部１１３を備えている場合、無線通信端末３００Ａが「ＲＮがバックホールとして用いるＭＢＳＦＮサブフレーム」であるかどうかを判断し、ＣＱＩ測定方法を制御するようにしても良い。また、無線通信端末３００Ａが、「ＲＮがバックホールとして用いるＭＢＳＦＮサブフレーム」におけるＣＱＩ測定と通常のサブフレームにおけるＣＱＩ測定を、常に両方行い、その結果を報告する場合には、ＣＱＩ測定方法指示部１１３がなくても良い。
【００６４】
制御情報生成部１１１は、ＣＱＩ測定方法指示部１１３から出力されるＣＱＩ測定を制御する指示を含んだ、無線通信端末３００Ａに関する制御情報を生成して、信号多重部１０９に出力する。
【００６５】
信号多重部１０９は、入力された参照信号、各無線通信端末に対する送信データ、ＲＮ情報、制御情報を多重して、送信処理部１０７に出力する。信号多重部１０９は、後述するスケジューリング部１１５から出力されるスケジューリング情報に基づいて、各無線通信端末３００Ａ、３００Ｂに対する送信データを配置して、ユーザ多重を行い、他の信号と多重する。
【００６６】
送信処理部１０７は、信号多重部１０９で多重化された信号に対して送信処理を行い、送信ＲＦ部１０５に出力する。送信処理には、例えば、符号化処理、変調処理などがある。
【００６７】
送信ＲＦ部１０５は、送信処理部１０７で送信処理された送信信号に対して、ＲＦ周波数への周波数変換、電力増幅、送信フィルタ処理を行い、アンテナ１０１に出力する。
【００６８】
受信ＲＦ部１２３は、アンテナで受信した信号に対して、通信帯域以外の信号を除去するためにフィルタ処理を行い、ＩＦ周波数帯もしくはベースバンド帯に周波数変換を行い、受信処理部１２１に出力する。
【００６９】
受信処理部１２１は、受信ＲＦ部１２３から出力された信号に対して受信処理を行い、受信データ、制御情報などの分離を行う。具体的には、受信処理部１２１は、ＡＤコンバータ等でアナログ信号をデジタル信号に変換し、復調処理、復号処理などを行う。
【００７０】
ＣＱＩ情報抽出部１１９は、受信処理部１２１で分離した制御情報の中から、ＣＱＩ情報を抽出し、ＣＱＩメモリ部１１７に出力する。
【００７１】
ＣＱＩメモリ部１１７は、ＣＱＩ情報抽出部１１９で抽出したＣＱＩ情報を記憶し、スケジューリング部１１５に出力する。
【００７２】
スケジューリング部１１５は、ＣＱＩメモリ部１１７で記憶したＣＱＩ情報を使って、スケジューリングを行い、スケジューリング情報を信号多重部１０９に出力する。スケジューリングでは、スケジューリング部１１５は、ＣＱＩ情報を使って、送信サブフレーム、送信周波数（リソースブロック）を決定する。
【００７３】
次に、図８を参照して、本実施の形態に係る無線通信端末３００ＡにおけるＣＱＩ測定の処理フローを説明する。図８は、無線通信端末３００ＡにおけるＣＱＩ測定の処理フロー示す図である。
【００７４】
ステップ（ＳＴ００１）では、アンテナ３０１でｅＮＢからの信号を受信して、受信ＲＦ部３０５及び受信処理部３０７で受信処理を行う。
ステップ（ＳＴ００２）では、ＣＱＩ測定用信号抽出部３０９が、ステップ（ＳＴ００１）において受信処理した信号から、ＣＱＩ測定に用いる信号を抽出する。
【００７５】
ステップ（ＳＴ００３）では、制御情報取得部３１７が、ステップ（ＳＴ００１）において受信処理した信号から、ｅＮＢ配下のＵＥ１に対する制御情報を取得する。
ステップ（ＳＴ００４）では、ＲＮ情報取得部３１１が、ステップ（ＳＴ００１）において受信処理した信号から、ＲＮに関する情報を取得する。
【００７６】
ステップ（ＳＴ００５）では、ＣＱＩ測定制御部３１９が、ステップ（ＳＴ００３）において取得した制御情報により、「ＲＮがバックホールとして用いるＭＢＳＦＮサブフレーム」用のＣＱＩ測定モードか、通常のＣＱＩ測定モードのどちらのモードでＣＱＩを測定するかを選択する。
【００７７】
＜「ＲＮがバックホールとして用いるＭＢＳＦＮサブフレーム」用のＣＱＩ測定モードの場合＞
ステップ（ＳＴ００６−１）では、信号抽出制御部３１３が、ステップ（ＳＴ００４）において取得したＲＮに関する情報から、「ＲＮがバックホールとして用いるＭＢＳＦＮサブフレーム」となるサブフレームを、サブフレーム抽出部３１５とシンボル抽出部３２１に指示する。
【００７８】
ステップ（ＳＴ００７−１）では、サブフレーム抽出部３１５が、ステップ（ＳＴ００６−１）において信号抽出制御部３１３から指示された、「ＲＮがバックホールとして用いるＭＢＳＦＮサブフレーム」となるサブフレームにおいて、ステップ（ＳＴ００２）において抽出したＣＱＩ測定に用いる信号から、「ＲＮがバックホールとして用いるＭＢＳＦＮサブフレーム」となるサブフレームを抽出する。
【００７９】
ステップ（ＳＴ００８−１）では、シンボル抽出部３２１は、ステップ（ＳＴ００６−１）において信号抽出制御部３１３から通知された、「ＲＮがバックホールとして用いるＭＢＳＦＮサブフレーム」となるサブフレームにおいて、ステップ（ＳＴ００７−１）において抽出したサブフレームの信号から、先頭２シンボルを除いた領域の信号を抽出する。
【００８０】
＜通常のＣＱＩ測定モードの場合＞
ステップ（ＳＴ００６−２）では、信号抽出制御部３１３は、全てのサブフレームにおいて信号を抽出するように、サブフレーム抽出部３１５とシンボル抽出部３２１に指示する。
【００８１】
ステップ（ＳＴ００７−２）では、サブフレーム抽出部３１５は、ステップ（ＳＴ００６−２）において信号抽出制御部３１３から指示されたように、ステップ（ＳＴ００２）において抽出したＣＱＩ測定に用いる信号の全サブフレームを抽出する。
【００８２】
ステップ（ＳＴ００８−２）では、シンボル抽出部３２１は、ステップ（ＳＴ００６−２）において信号抽出制御部３１３から指示されたように、ステップ（ＳＴ００７−２）で抽出した全サブフレームの信号において全シンボル領域の信号を抽出する。
【００８３】
ステップ（ＳＴ００９）では、ＣＱＩ測定部３２３は、ステップ（ＳＴ００８−１）もしくは（ＳＴ００８−２）において抽出した信号を用いてＣＱＩ測定を行う。
【００８４】
ステップ（ＳＴ０１０）では、ＣＱＩメモリ部３２５が、（ＳＴ００９）で測定したＣＱＩを記憶する。
ステップ（ＳＴ０１１）では、フィードバック情報生成部３２７が、ステップ（ＳＴ０１０）で記憶したＣＱＩからフィードバック情報を生成する。
【００８５】
ステップ（ＳＴ０１２）では、送信処理部３２９及び送信ＲＦ部３３１は、ステップ（ＳＴ０１１）で生成したフィードバック情報に対して送信処理を行い、ｅＮＢに送信する。
【００８６】
なお、本実施の形態では、ｅＮＢ配下のＵＥ１は、「ＲＮがバックホールとして用いるＭＢＳＦＮサブフレーム」となるサブフレームにおいて、先頭２シンボルを除いた３シンボル目以降の領域を使ってＣＱＩを測定するが、このサブフレームに限らなくても良い。例えば、全てのサブフレームにおいて、本実施の形態のように、ｅＮＢ配下のＵＥ１は、先頭２シンボルを除いた３シンボル目以降の領域を使って、ｅＮＢからＵＥ１への回線（自セルの回線）に関するＣＱＩを測定しても良い。これにより、ＲＮがバックホールとして用いていないサブフレームでは、先頭２シンボル分をＣＱＩ測定に使えなくなるので、ＣＱＩ精度の若干の低下はあるが、一方で、ｅＮＢは、隣接するＲＮのバックホールとして用いるＭＢＳＦＮサブフレームに関する情報などを通知しなくてよいので、シグナリングのオーバヘッドを減らすことができる。
【００８７】
なお、本実施の形態では、「ＲＮがバックホールとして用いるＭＢＳＦＮサブフレーム」において、ｅＮＢのサブフレームでは、参照信号の送信電力を増大させても良い。本実施の形態のｅＮＢ配下のＵＥ１のＣＱＩ測定モードでは、先頭２シンボルをＣＱＩ測定に使うことができないので、その分の電力を増大させることで、ＣＱＩ測定精度を保つことができる。この場合、ｅＮＢはどれだけ送信電力を増大したかをｅＮＢ配下のＵＥ１に通知する。また、３シンボル目以降のデータ領域の一部に、ＣＱＩ測定用に参照信号を挿入しても良い。先頭２シンボルをＣＱＩ測定に使うことができないので、その分の参照信号を挿入することで、ＣＱＩ測定精度を保つことができる。この場合、ｅＮＢは、ＣＱＩ測定用に参照信号を挿入したことをｅＮＢ配下のＵＥ１に通知する。
【００８８】
なお、本実施の形態では、Ｐｅｒｉｏｄｉｃ  ＣＱＩの場合において、ＣＱＩをフィードバックするサブフレームより４つ前のサブフレームが、「ＲＮがバックホールとして用いるＭＢＳＦＮサブフレーム」でない場合、４サブフレームより前で一番近い、「ＲＮがバックホールとして用いるＭＢＳＦＮサブフレーム」において、ｅＮＢ配下のＵＥ１は、上述したＣＱＩ測定モードでＣＱＩを測定しても良い。
【００８９】
図５を参照して、所定数のサブフレームより前で一番近い、「ＲＮがバックホールとして用いるＭＢＳＦＮサブフレーム」において、ｅＮＢ配下のＵＥ１がｅＮＢからＵＥ１への回線（自セルの回線）に関するＣＱＩを測定する例ついて説明する。図５は、Ｐｅｒｉｏｄｉｃ  ＣＱＩの場合において、本実施の形態における下り回線の他の例を示す図である。
【００９０】
図５に示すように、サブフレーム［ｎ＋８］の上り回線で報告するＰｅｒｉｏｄｉｃ  ＣＱＩは、その４サブフレーム前である、サブフレーム［ｎ＋４］の下り回線において測定したＣＱＩを測定する。しかし、このサブフレーム［ｎ＋４］では、ＲＮは通常のサブフレームであるので、本実施例のＣＱＩ測定モードでＣＱＩを測定できない。そこで、サブフレーム［ｎ＋４］より前で、サブフレーム［ｎ＋４］に一番近い、「ＲＮのバックホールとして用いるＭＢＳＦＮサブフレーム」となるサブフレーム［ｎ＋２］において、ｅＮＢ配下のＵＥ１が、上述した本実施例のＣＱＩ測定モードでｅＮＢからＵＥ１への回線（自セルの回線）に関するＣＱＩを測定して、サブフレーム［ｎ＋８］の上り回線でｅＮＢに報告するようにしても良い。
【００９１】
なお、本実施の形態では、Ａｐｅｒｉｏｄｉｃ  ＣＱＩの場合において、ｅＮＢから通知された、「ＲＮがバックホールとして用いるＭＢＳＦＮサブフレーム」において、ｅＮＢからＣＱＩを測定するようにｅＮＢ配下のＵＥ１が指示された場合、ｅＮＢ配下のＵＥ１が、本実施例のＣＱＩ測定モードで、ｅＮＢからＵＥ１への回線（自セルの回線）に関するＣＱＩを測定しても良い。例えば、同様に図５を用いて説明すると、次のようになる。
【００９２】
ｅＮＢが、ｅＮＢ配下のＵＥ１に「ＲＮがバックホールとして用いるＭＢＳＦＮサブフレーム」を通知していれば、ｅＮＢ配下のＵＥ１は、「ＲＮのバックホールとして用いているＭＢＳＦＮサブフレーム」となるサブフレームの位置が分かる。したがって、例えば、図５に示すサブフレーム［ｎ＋２］において、ｅＮＢ配下のＵＥ１がｅＮＢからＵＥ１への回線（自セルの回線）に関するＣＱＩを測定するように指示された場合、ｅＮＢ配下のＵＥ１は、本実施例のＣＱＩ測定モードでｅＮＢからＵＥ１への回線（自セルの回線）に関するＣＱＩを測定しても良い。
【００９３】
なお、本実施の形態では、Ａｐｅｒｉｏｄｉｃ  ＣＱＩの場合において、「ＲＮがバックホールとして用いるＭＢＳＦＮサブフレーム」用のＣＱＩ測定モードで測定するように、ｅＮＢが、ｅＮＢ配下のＵＥ１にＰＤＣＣＨの中で指示しても良い。具体的には、ＰＤＣＣＨのｆｏｒｍａｔ０において、「ＲＮのバックホールとして用いるＭＢＳＦＮサブフレーム」用のＣＱＩ  ｒｅｑｕｅｓｔを追加する。これにより、ｅＮＢが、隣接するＲＮの「ＲＮがバックホールとして用いるＭＢＳＦＮサブフレーム」に関する情報を、ｅＮＢ配下のＵＥ１に通知しなくても、ｅＮＢ配下のＵＥ１は、本実施例のＣＱＩ測定モードでｅＮＢからＵＥ１への回線（自セルの回線）に関するＣＱＩを測定することができる。
【００９４】
なお、本実施の形態では、ｅＮＢ配下のＵＥ１は、「ＲＮがバックホールとして用いるＭＢＳＦＮサブフレーム」において測定したｅＮＢからＵＥ１への回線（自セルの回線）に関するＣＱＩを、複数回測定を行い、それを平均化することも可能である。具体的には、信号成分を測定する範囲を、「ＲＮがバックホールとして用いるＭＢＳＦＮサブフレーム」に限定し、干渉成分を測定する範囲を、「ＲＮがバックホールとして用いるＭＢＳＦＮサブフレーム」に限定する。これにより、ｅＮＢからＵＥ１への回線（自セルの回線）に関するＣＱＩの測定精度を改善することができる。
【００９５】
なお、本実施の形態では、ｅＮＢとそのｅＮＢに接続するＲＮについて説明したが、複数のｅＮＢにおいて、一方のｅＮＢから信号を送信していないサブフレームがある場合に適用しても良い。
【００９６】
なお、本実施の形態では、自セルの回線品質として、ｅＮＢからＵＥへの回線のＣＱＩについて説明したが、これに限らなくても良い。例えば、ハンドオーバーを行う際に測定する自セルの回線品質を用いてもよい。
【００９７】
（変形例１）
次に、図９から図１３を参照して、本実施の形態の変形例１について説明する。上述した本実施の形態では、ｅＮＢに接続するＲＮが１個の場合を例にとって説明したが、本実施の形態の変形例１では、１つのｅＮＢに複数のＲＮが接続する場合について説明する。
【００９８】
１つのｅＮＢに複数のＲＮが接続する場合、各ＲＮにおいてバックホールとして用いるＭＢＳＦＮサブフレームの位置が異なる場合がある。これは、各ＲＮにおけるバックホールの容量は、ＲＮごとに異なることから、バックホールとして用いるＭＢＳＦＮサブフレーム数が同一でないことに起因する。また、複数のＲＮのバックホールを同じサブフレームにすると、トラフィックが集中してしまい、各ＲＮに対して十分なリソースを割当てることができなくなっていまい、効率が低下してしまう可能性があるので、ＲＮにおいてバックホールとして用いるＭＢＳＦＮサブフレームの位置が異なっている。
【００９９】
上述のように、「各ＲＮにおいてバックホールとして用いるＭＢＳＦＮサブフレーム」の位置が異なると、ｅＮＢ配下のＵＥの位置により、各ＲＮからの干渉量が異なるので、サブフレームごとに干渉量が変化する。つまり、ｅＮＢ配下のＵＥの位置が、ＲＮから近ければ、そのＲＮから受ける干渉は強く、ＲＮから遠ければ、そのＲＮから受ける干渉は弱い。したがって、ｅＮＢ配下のＵＥは、より干渉が弱いサブフレームにおいて信号を送信してもらうほうが良い。
【０１００】
図９は、本実施の形態の変形例１における、Ｒｅｌａｙ技術を用いて無線信号を中継する無線通信システムを示す図である。変形例１では、図９において、ｅＮＢは基地局４００、ＲＮ１は中継局５００Ａ、ＲＮ２は中継局５００Ｂ、ＵＥ１は無線通信端末６００をそれぞれ示す。無線通信端末６００（ＵＥ１）は、基地局４００に接続する無線通信端末、言い換えると、基地局４００配下の無線通信端末である。変形例１では、同じ基地局に接続する中継局が２つ存在する。
【０１０１】
ここで、無線通信端末６００と、中継局５００Ａ（ＲＮ１）と中継局５００Ｂ（ＲＮ２）の位置関係は、中継局５００Ｂ（ＲＮ２）の方が、中継局５００Ａ（ＲＮ１）よりも、無線通信端末６００（ＵＥ１）に近い位置にいるとする。
【０１０２】
さらに、本実施の形態の変形例１の無線通信システムでは、バックホール回線とアクセス回線とを同一の周波数帯域の中に収容し、バックホール回線とＲＮのアクセス回線を時間領域（サブフレーム単位）で分割して割当てるＲｅｌａｙ方式とする。以下、説明のため、基地局４００をｅＮＢ、中継局５００ＡをＲＮ１、中継局５００ＢをＲＮ２、基地局４００配下の無線通信端末６００をＵＥ１、と記載する。
【０１０３】
ここで、中継局５００Ａ（ＲＮ１）及び中継局５００Ｂ（ＲＮ２）は、ＬＴＥ−Ａで検討されている個別のセルＩＤを持つものとする。そのため無線通信端末６００に隣接する中継局５００Ａ（ＲＮ１）及び中継局５００Ｂは、無線通信端末６００から見ると、隣接セルとみなすことができる。
【０１０４】
図１０を参照して、図９に示す無線通信システムにおける、下り回線のサブフレームについて説明する。図１０は、変形例１における、下り回線のサブフレームを示す図である。なお、図１０において、ＲＮ１では「ＲＮがバックホールとして用いるＭＢＳＦＮサブフレーム」の位置は、サブフレーム［ｎ＋２、ｎ＋６］である。一方、ＲＮ２では、「ＲＮがバックホールとして用いるＭＢＳＦＮサブフレーム」の位置は、サブフレーム［ｎ＋４］である。
【０１０５】
図１０に示すように、ＵＥ１は、サブフレーム［ｎ、ｎ＋１、ｎ＋３、ｎ＋５］では、矢印（破線）で示すように、ＲＮ１とＲＮ２との両方の干渉を受けている。しかし、サブフレーム［ｎ＋２、ｎ＋６］とサブフレーム［ｎ＋４］では、ＵＥ１は、それぞれＲＮ２からの干渉とＲＮ１からの干渉を受けているが、２つのＲＮ１、ＲＮ２からの干渉量が異なる。つまり、ＲＮ１がＲＮ２よりもＵＥ１から遠くに位置しているので、ＲＮ１からＵＥ１が受ける干渉量は、ＲＮ２からＵＥ１が受ける干渉量よりも弱い。そのため、ＵＥ１がＲＮ１、ＲＮ２から受ける干渉量を比較すると、ＵＥ１がＲＮ２から干渉を受けるサブフレーム［ｎ＋２、ｎ＋６］より、ＵＥ１がＲＮ１から干渉を受けるサブフレーム［ｎ＋４］のほうが、ＵＥ１がＲＮから受ける干渉量が弱い。
【０１０６】
上述したＵＥ１が受ける各ＲＮからの干渉量を考慮し、本実施の形態の変形例１では、ｅＮＢ配下のＵＥ１に対して、ｅＮＢ配下の全てのＲＮにおけるバックホールとして用いるＭＢＳＦＮサブフレームの位置を通知して、ｅＮＢ配下のＵＥ１は、干渉が少ないサブフレームを検出して、ｅＮＢからＵＥ１への回線（自セルの回線）に関するＣＱＩとともにそのサブフレーム位置をｅＮＢにフィードバックする。以下、ＵＥが受ける各ＲＮからの干渉量を考慮した変形例１の具体的な方法について説明する。
【０１０７】
まず、ｅＮＢは、自配下のＵＥ１に対して、ｅＮＢに接続している全てのＲＮにおいて、「ＲＮがバックホールとして用いるＭＢＳＦＮサブフレーム」の位置を通知する。通知方法としては、システム情報（Ｓｙｓｔｅｍ  Ｉｎｆｏｒｍａｔｉｏｎ  Ｂｌｏｃｋ）や上位レイヤーの制御情報などを用いて通知する方法がある。
【０１０８】
次に、ｅＮＢ配下のＵＥ１は、ｅＮＢから通知されたサブフレームにおいて、本実施の形態同様、図３を参照して説明したＣＱＩ測定モードで、ｅＮＢからＵＥ１への回線（自セルの回線）に関するＣＱＩを測定する。そして、ＵＥ１は、その通知されたサブフレームの中で、ＣＱＩが高いサブフレームを検出して、そのＣＱＩとサブフレーム位置をｅＮＢにフィードバックする。例えば、図９、図１０で想定した環境について説明すると、ＵＥ１は、サブフレーム［ｎ＋２、ｎ＋４、ｎ＋６］において、「ＲＮがバックホールとして用いるＭＢＳＦＮサブフレーム」用のＣＱＩ測定を行い、その中で、干渉量が小さいサブフレーム［ｎ＋４］を検出し、サブフレーム［ｎ＋４］におけるＣＱＩとサブフレーム番号をフィードバックする。
【０１０９】
上述のように、本実施の形態の変形例１では、ｅＮＢは、ｅＮＢ配下のＵＥ１に対して、ｅＮＢ配下の全てのＲＮにおいて、「ＲＮがバックホールとして用いるＭＢＳＦＮサブフレーム」の位置を通知して、ｅＮＢ配下のＵＥ１は、干渉が少ないサブフレームを検出して、ｅＮＢからＵＥ１への回線（自セルの回線）に関するＣＱＩとともにそのサブフレーム位置をｅＮＢにフィードバックする。そのため、本実施の形態の変形例１では、ｅＮＢ配下のＵＥ１において、ＲＮからの干渉がより少ないサブフレームにおいて、ｅＮＢからＵＥ１への回線（自セルの回線）に関するＣＱＩを測定することができる。
【０１１０】
図１１を参照して、ＵＥ１である無線通信端末６００の構成について説明する。図１１は、変形例１における、無線通信端末６００の構成を示すブロック図である。図１１に示す無線通信端末６００が、図６に示す無線通信端末３００Ａと異なる点は、高品質サブフレーム検出部６０１及びフィードバック情報生成部６０３を備える点である。この点以外は実施の形態と同様であり、図１１において、図６と共通する構成要素には同じ参照符号が付されている。また、共通する構成要素について、その説明を、省略する。
【０１１１】
高品質サブフレーム検出部６０１は、ＣＱＩメモリ部３２５に記憶されているＣＱＩの中から、品質が最も高いＣＱＩを検出する。そして、高品質サブフレーム検出部６０１は、ＲＮ情報取得部３１１で取得した、「ＲＮがバックホールとして用いるＭＢＳＦＮサブフレーム」の位置の情報を用いて、「ＲＮがバックホールとして用いるＭＢＳＦＮサブフレーム」用のＣＱＩ測定を行い、高品質ＣＱＩとなるサブフレーム位置を検出して、その検出結果（サブフレーム番号及びサブフレームにおけるｅＮＢからＵＥ１への回線（自セルの回線）に関するＣＱＩ）をフィードバック情報生成部６０３に出力する。
【０１１２】
フィードバック情報生成部６０３は、高品質サブフレーム検出部６０１で検出したサブフレーム情報（サブフレーム番号）と、ＣＱＩメモリ部３２５で記憶されているそのサブフレームにおけるｅＮＢからＵＥ１への回線（自セルの回線）に関するＣＱＩから、フィードバック情報を生成して、送信処理部３２９に出力する。
【０１１３】
次に、図１２を参照して、ｅＮＢである基地局４００の構成を説明する。図１２は、変形例１における、基地局４００の構成を示すブロック図である。図１２に示す基地局４００が、図７に示す基地局１００と異なる点は、ＣＱＩメモリ部１１７に代わってＣＱＩ・サブフレームメモリ部４０１を備える点である。この点以外は実施の形態と同様であり、図１２において、図７と共通する構成要素には同じ参照符号が付されている。また、共通する構成要素について、その説明を省略する。
【０１１４】
ＣＱＩ・サブフレームメモリ部４０１は、ＣＱＩ情報抽出部１１９において抽出した、ＵＥ１からフィードバックされたサブフレーム情報とそのサブフレームにおけるｅＮＢからＵＥ１への回線（自セルの回線）に関するＣＱＩとを記憶し、スケジューリング部１１５に出力する。
【０１１５】
次に、図１３を参照して、変形例１における、無線通信端末６００（ＵＥ１）のＣＱＩ測定の処理フローを説明する。図１３は、変形例１における、無線通信端末６００のＣＱＩ測定の処理フローを示す図である。図１３に示す無線通信端末６００のＣＱＩ測定の処理フローが、図８に示す無線通信端末３００ＡにおけるＣＱＩ測定の処理フローと異なる点は、ステップ（ＳＴ０１０）とステップ（ＳＴ０１１）との間に、新たにステップ（ＳＴ０１３）の処理が追加された点である。この点以外は実施の形態と同様であり、図１３において、図８と共通するステップには同じ参照符号が付されている。また、共通するステップについて、その説明を省略する。
【０１１６】
ステップ（ＳＴ０１３）では、高品質サブフレーム検出部６０１が、ステップ（ＳＴ０１０）で記憶したＣＱＩにおいて、高い品質となるサブフレームを検出する。そして、（ＳＴ０１１）では、フィードバック情報生成部６０３が、ステップ（ＳＴ０１０）で記憶したＣＱＩと、（ＳＴ０１３）において検出したサブフレーム情報から、フィードバック情報を生成する。
【０１１７】
なお、本実施の形態の変形例１では、ｅＮＢは、接続している全てのＲＮにおいて、「ＲＮがバックホールとして用いるＭＢＳＦＮサブフレーム」の位置を、自配下のＵＥ１に通知したが、これに限定しなくても良い。例えば、ｅＮＢは、各ＲＮの番号と、ＲＮ毎のバックホールとして用いるＭＢＳＦＮサブフレームの位置をＲＮの番号とを関連付けて、ｅＮＢ配下のＵＥ１に通知する。そして、ＵＥ１は、ＣＱＩが最大となるサブフレームを検出して、そのサブフレームがどのＲＮのバックホールとして用いるＭＢＳＦＮサブフレームかを検出することで、そのサブフレーム位置もしくはＲＮ番号と測定したＣＱＩをｅＮＢにフィードバックする。
【０１１８】
上述のように、ｅＮＢが、ＲＮ毎に「ＲＮがバックホールとして用いるＭＢＳＦＮサブフレーム」の位置を、自配下のＵＥ１通知することで、同一のＲＮのバックホールとして用いるＭＢＳＦＮサブフレームで測定したＣＱＩを平均化することで、ＣＱＩの測定精度を改善できる。
【０１１９】
（変形例２）
次に、図１４から図１９を参照して、本実施の形態の変形例２について説明する。
実施の形態及び変形例１では、「ＲＮがバックホールとして用いるＭＢＳＦＮサブフレーム」の位置をｅＮＢからＵＥ１に通知して、ＵＥ１はその通知された情報に基づいてＣＱＩ測定モードを切り替えた。しかし、本実施の形態の変形例２では、ＵＥ１自身が、「ＲＮがバックホールとして用いるＭＢＳＦＮサブフレーム」のサブフレームかどうかを判定する。
【０１２０】
図１４は、変形例２における、Ｒｅｌａｙ技術を用いて無線信号を中継する無線通信システムを示す図である。変形例２では、図１４において、ｅＮＢは基地局７００、ＲＮは中継局８００、ＵＥ１は無線通信端末９００Ａ、ＵＥ２は無線通信端末９００Ｂをそれぞれ示す。無線通信端末９００Ａ（ＵＥ１）は、基地局７００に接続する無線通信端末であり、無線通信端末９００Ｂ（ＵＥ２）は、中継局８００（ＲＮ）に接続する無線通信端末とする。無線通信端末９００Ａ（ＵＥ１）が、基地局７００の配下の無線通信端末（ＵＥ１）である。
【０１２１】
以下、説明のため、基地局７００をｅＮＢ、中継局８００をＲＮ、無線通信端末９００Ａ（ＵＥ１）をＵＥ１と記載する。また、以下、変形例２では、図１に示すように無線信号を中継する場合について説明する。つまり、ＲＮは、バックホール回線においてｅＮＢからの信号を受信（図中、矢印Ｅ）して、ＲＮのアクセス回線においてＵＥ２に対して信号を送信（図中、矢印Ｆ）する。バックホール回線とアクセス回線とを同一の周波数帯域の中に収容し、バックホール回線とＲＮのアクセス回線を時間領域（サブフレーム単位）で分割して割当てるＲｅｌａｙ方式とする。
【０１２２】
ここで、中継局８００（ＲＮ）は、ＬＴＥ−Ａで検討されている個別のセルＩＤを持つものとする。そのため、無線通信端末９００Ａ（ＵＥ１）に隣接する中継局８００（ＲＮ）は、無線通信端末９００Ａから見ると、隣接セルとみなすことができる。
【０１２３】
図１５及び図１６を参照して、ＵＥ１自身が、「ＲＮがバックホールとして用いるＭＢＳＦＮサブフレーム」のサブフレームかどうかを判定する方法について、説明する。図１５は、変形例２における下り回線のサブフレームのシンボルの一例を示し、図１６は、変形例２における下り回線のサブフレームのシンボルの他の例を示す。
【０１２４】
図１５に示すように、全てのシンボルにおいてＲＮから信号が送信されている。このため、このサブフレームのどのシンボルを使って、ｅＮＢからＵＥ１への回線（自セルの回線）に関するＣＱＩの測定を行ってもＣＱＩは近い値を示す。つまり、全シンボルの領域を使って測定したｅＮＢからＵＥ１への回線（自セルの回線）に関するＣＱＩと、３シンボル目以降のシンボルを使って測定したｅＮＢからＵＥ１への回線（自セルの回線）に関するＣＱＩは近い値となる。
【０１２５】
一方、図１６に示すように、３シンボル目（シンボル＃２）以降のシンボルにおいて、ＲＮからｅＮＢへ信号が送信されていない。このため、図１６に示すサブフレームでは、先頭２シンボルを含んで、ｅＮＢからＵＥ１への回線（自セルの回線）に関するＣＱＩの測定を行う場合と、３シンボル目以降のシンボルを使ってｅＮＢのＣＱＩ測定を行う場合では、ＵＥ１がＲＮから受ける干渉量が異なる。つまり、図１６に示すサブフレームの中で、３シンボル目以降のシンボルを使って測定した、ｅＮＢからＵＥ１への回線（自セルの回線）に関するＣＱＩの方が、図１６に示すサブフレームの中で、先頭２シンボル及び３シンボル目以降のシンボルを使って測定した、ｅＮＢからＵＥ１への回線（自セルの回線）に関するＣＱＩよりも、高い回線品質を示す値となる。つまり、全シンボルの領域を使って測定した、ｅＮＢからＵＥ１への回線（自セルの回線）に関するＣＱＩと、３シンボル目以降のシンボルを使って測定した、ｅＮＢからＵＥ１への回線（自セルの回線）に関するＣＱＩでは、後者のほうが高い回線品質を示す値となる。
【０１２６】
そこで、全シンボルの領域を使って測定した、ｅＮＢからＵＥ１への回線（自セルの回線）に関するＣＱＩと、３シンボル目以降のシンボルを使って測定した、ｅＮＢからＵＥ１への回線（自セルの回線）に関するＣＱＩとを比較することで、そのサブフレームが通常のサブフレームであるか、又は、「ＲＮがバックホールとして用いるＭＢＳＦＮサブフレーム」であるかを、ＵＥ１自身が判定することができる。また、先頭２シンボルだけを使って測定した、ｅＮＢからＵＥ１への回線（自セルの回線）に関するＣＱＩと、３シンボル目以降のシンボルだけを使って測定した、ｅＮＢからＵＥ１への回線（自セルの回線）に関するＣＱＩとを比較することでも、同様に、そのサブフレームが通常のサブフレームであるか、又は「ＲＮがバックホールとして用いるＭＢＳＦＮサブフレーム」であるかをＵＥ１自身が判定することができる。
【０１２７】
上述のように、本実施の形態の変形例２では、ＵＥ１は、先頭２シンボルを用いて測定した、ｅＮＢからＵＥ１への回線（自セルの回線）に関するＣＱＩと、３シンボル目以降のシンボルを用いて測定した、ｅＮＢからＵＥ１への回線（自セルの回線）に関するＣＱＩとを比較して、ＲＮのサブフレームが、通常サブフレームか、又は「ＲＮがバックホールとして用いるＭＢＳＦＮサブフレーム」を判断し、ＵＥ１は、それぞれに適したｅＮＢのＣＱＩ測定を行い、ｅＮＢにフィードバックする。
【０１２８】
以下、ＵＥ１自身が、ＲＮのサブフレームが、通常サブフレームか、又は「ＲＮがバックホールとして用いるＭＢＳＦＮサブフレーム」を判定する具体的方法について、説明する。
【０１２９】
まず、ＵＥ１は、全シンボル領域を使ってｅＮＢからＵＥ１への回線（自セルの回線）に関するＣＱＩを測定し、次に３シンボル目以降の領域を使ってｅＮＢからＵＥ１への回線（自セルの回線）に関するＣＱＩを測定する。以下、説明のため、全シンボル領域を使って測定した、ｅＮＢからＵＥ１への回線（自セルの回線）に関するＣＱＩをＣＱＩ＿ａｌｌと示し、３シンボル目以降の領域を使って測定した、ｅＮＢからＵＥ１への回線（自セルの回線）に関するＣＱＩを、ＣＱＩ＿ｐａｒｔと示す。
なお、本明細書において、“ＣＱＩ”の後に続く下線＿は、下線＿の後に続く文字または単語（例えば、ａｌｌやｐａｒｔ）が、下線＿の直前にある“ＣＱＩ”の下付文字であることを示す。
【０１３０】
次に、ＵＥ１は、ＣＱＩ＿ａｌｌとＣＱＩ＿ｐａｒｔとを比較して、ＲＮのサブフレームが通常サブフレームか、又は「ＲＮがバックホールとして用いるＭＢＳＦＮサブフレーム」かを、判定する。例えば、ＵＥ１は、ＣＱＩ＿ａｌｌとＣＱＩ＿ｐａｒｔとの差の絶対値（以下、ＣＱＩの差という）対して、ある閾値Ｔｈを予め設定しておき、ＣＱＩの差と閾値Ｔｈとを比較して、ＲＮのサブフレームが通常サブフレームか、又はＲＮのサブフレームが「ＲＮがバックホールとして用いるＭＢＳＦＮサブフレーム」かを、判定することができる。
【０１３１】
つまり、ＣＱＩの差が閾値Ｔｈ未満であれば、ＵＥ１は、ＣＱＩ＿ａｌｌとＣＱＩ＿ｐａｒｔに差がないと判断し、ＵＥ１は、ＲＮのサブフレームが通常のサブフレームであると判定する。一方、ＣＱＩの差が閾値Ｔｈ以上であれば、ＵＥ１は、ＣＱＩ＿ａｌｌとＣＱＩ＿ｐａｒｔに差があると判断して、ＵＥ１は、ＲＮのサブフレームが、「ＲＮがバックホールとして用いるＭＢＳＦＮサブフレーム」であると判定する。
【０１３２】
上述したＣＱＩの差と閾値Ｔｈとで表現される判断条件は、ＣＱＩ＿ａｌｌ  、ＣＱＩ＿ｐａｒｔ、Ｔｈを用いて次式（１）及び式（２）で表される。
【０１３３】
【数１】
2010131487.tif 000028
【０１３４】
【数２】
2010131487.tif 000029
【０１３５】
つまり、ＣＱＩ＿ａｌｌ  、ＣＱＩ＿ｐａｒｔ、閾値Ｔｈが式（１）を満たしていれば、ＵＥ１は、ＲＮのサブフレームが通常のサブフレームであると判定する。一方、ＣＱＩ＿ａｌｌ  、ＣＱＩ＿ｐａｒｔ、閾値Ｔｈが式（２）を満たしていれば、ＵＥ１は、ＲＮのサブフレームが、「ＲＮがバックホールとして用いるＭＢＳＦＮサブフレーム」であると判定する。
【０１３６】
そして、式（１）及び式（２）を用いて判断したＲＮのサブフレームに応じて、例えば、以下のようにＵＥ１はＣＱＩ測定方法を選択する。
【０１３７】
ＵＥ１が、ＲＮのサブフレームが通常のサブフレームと判断した場合、サブフレーム内のシンボルでは同じ品質となるので、数多くのシンボルを用いて平均化することでＣＱＩ測定精度を向上できる。したがって、ＵＥ１は、サブフレームの全ての領域を使うＣＱＩ測定モードを選択して、ｅＮＢからＵＥ１への回線（自セルの回線）に関するＣＱＩを測定する。一方、ＵＥ１が、ＲＮのサブフレームが「ＲＮがバックホールとして用いるＭＢＳＦＮサブフレーム」と判断した場合、ＵＥ１は、変形例１と同様に、先頭２シンボルを除いた３シンボル目以降の領域を使うＣＱＩ測定モードを選択して、ｅＮＢからＵＥ１への回線（自セルの回線）に関するＣＱＩを測定する。
【０１３８】
そして、ＵＥ１は、測定したＣＱＩとあわせて、どちらの測定モードで測定したかをｅＮＢに、フィードバック情報としてフィードバックする。
【０１３９】
また、先頭２シンボルだけを使って測定したＣＱＩと、３シンボル目以降のシンボルだけを使って測定したＣＱＩを比較する場合には、例えば、次のような解決方法がある。
【０１４０】
ＣＱＩ測定に下り参照信号を使う場合、まず、ＵＥ１において、先頭２シンボルを用いるＣＱＩ測定として、シンボル＃０に挿入されている参照信号を用い、また、３シンボル目以降のシンボルを用いるＣＱＩ測定としては、シンボル＃７に挿入されている参照信号を用いて、ＣＱＩ測定を行う。そのＣＱＩ測定結果を、ＣＱＩ＿ｓｙｍ０  、ＣＱＩ＿ｓｙｍ７とそれぞれ示す。
【０１４１】
次に、これらＣＱＩ＿ｓｙｍ０  、ＣＱＩ＿ｓｙｍ７を比較して、ＲＮのサブフレームが通常サブフレームか、又は「ＲＮがバックホールとして用いるＭＢＳＦＮサブフレーム」かを、判定する。例えば、ＣＱＩ＿ｓｙｍ０と、ＣＱＩ＿ｓｙｍ７との差の絶対値（以下、ＣＱＩ＿ｓｙｍの差という）に対して、ある閾値Ｔｈ＿ｓｙｍをあらかじめ設定しておき、ＵＥ１は、ＣＱＩ＿ｓｙｍの差と閾値Ｔｈ＿ｓｙｍとを比較することで、ＲＮのサブフレームが通常サブフレームか、又は「ＲＮがバックホールとして用いるＭＢＳＦＮサブフレーム」かを、判定することができる。
【０１４２】
つまり、ＣＱＩ＿ｓｙｍの差が閾値Ｔｈ＿ｓｙｍ未満であれば、ＵＥ１は、ＣＱＩ＿ｓｙｍ０と、ＣＱＩ＿ｓｙｍ７とに差がないのでサブフレーム内のどのシンボルでも同じ品質であると判断し、ＵＥ１は、ＲＮのサブフレームが通常のサブフレームであると判定する。一方、ＣＱＩ＿ｓｙｍの差が閾値Ｔｈ＿ｓｙｍ以上であれば、ＵＥ１は、ＣＱＩ＿ｓｙｍ０と、ＣＱＩ＿ｓｙｍ７とに差があるので、先頭２シンボルと３シンボル目以降のシンボルでは品質に差があると判断して、ＵＥ１は、ＲＮのサブフレームが、「ＲＮがバックホールとして用いるＭＢＳＦＮサブフレーム」であると判定する。
【０１４３】
上述したＣＱＩ＿ｓｙｍの差と閾値Ｔｈ＿ｓｙｍとで表現される判断条件は、ＣＱＩ＿ｓｙｍ０  、ＣＱＩ＿ｓｙｍ７、Ｔｈ＿ｓｙｍを用いて次式（３）及び式（４）で表される。
【０１４４】
【数３】
2010131487.tif 000030
【０１４５】
【数４】
2010131487.tif 000031
【０１４６】
つまり、ＣＱＩ＿ｓｙｍ０  、ＣＱＩ＿ｓｙｍ７、Ｔｈ＿ｓｙｍが式（３）を満たしていれば、ＵＥ１は、ＲＮのサブフレームが通常のサブフレームであると判定する。一方、ＣＱＩ＿ｓｙｍ０  、ＣＱＩ＿ｓｙｍ７、Ｔｈ＿ｓｙｍが式（４）を満たしていれば、ＵＥ１は、ＲＮのサブフレームが、「ＲＮがバックホールとして用いるＭＢＳＦＮサブフレーム」であると判定する。
【０１４７】
そして、ＵＥ１において判断したＲＮのサブフレームに応じて、ＣＱＩ測定方法を選択する。ＲＮのサブフレームが通常のサブフレームの場合、サブフレーム内のシンボルでは同じ品質となるので、数多くのシンボルを用いて平均化することでＣＱＩ測定精度を向上できることから、ＵＥ１は、サブフレームの全ての領域を使うＣＱＩ測定モードを選択して、ｅＮＢからＵＥ１への回線（自セルの回線）に関するＣＱＩを測定する。一方、ＲＮのサブフレームが、「ＲＮがバックホールとして用いるＭＢＳＦＮサブフレーム」の場合、変形例１と同様、ＵＥ１は、先頭２シンボルを除いた３シンボル目以降の領域を使うＣＱＩ測定モードを選択して、ｅＮＢからＵＥ１への回線（自セルの回線）に関するＣＱＩを測定する。ＵＥ１は、測定したＣＱＩとあわせて、どちらの測定モードで測定したかをフィードバック情報として、ｅＮＢにフィードバックする。
【０１４８】
上述のように、本実施の形態の変形例２では、ＵＥ１は、先頭２シンボルを用いて測定した、ｅＮＢからＵＥ１への回線（自セルの回線）に関するＣＱＩと、３シンボル目以降のシンボルを用いて測定した、ｅＮＢからＵＥ１への回線（自セルの回線）に関するＣＱＩとを比較する。そして、その比較結果に基づき、ＵＥ１は、ＲＮのサブフレームが通常サブフレームであるか、又は「ＲＮがバックホールとして用いるＭＢＳＦＮサブフレーム」であるかを判定する。さらに、その判定結果に基づき、ＵＥ１は、それぞれに適したｅＮＢのＣＱＩ測定を行い、測定したＣＱＩとあわせて、どちらの測定モードで測定したかをフィードバック情報として、ｅＮＢにフィードバックする。そのため、ｅＮＢ配下のＵＥ１において、ＲＮからの干渉がない場合の、ｅＮＢからＵＥ１への回線（自セルの回線）に関するＣＱＩを精度良く測定できる。また、ｅＮＢからＵＥ１に、ＲＮに関する情報を通知する必要がなくなり、本実施の形態と比べて、変形例２では、下り回線のシグナリングのオーバヘッドを、より削減できるといった効果を奏する。
【０１４９】
次に、図１７を参照して、変形例２における、無線通信端末９００の構成について説明する。図１７は、変形例２における、無線通信端末９００の構成を示すブロック図である。図１７に示す無線通信端末９００は、アンテナ３０１と、スイッチ（ＳＷ）３０３と、受信ＲＦ部３０５と、受信処理部３０７と、ＣＱＩ測定用信号抽出部３０９と、シンボル抽出部９０１と、ＣＱＩ測定部９０３Ａと、ＣＱＩ測定部９０３Ｂと、サブフレーム判定部９０５と、ＣＱＩメモリ部９０７と、フィードバック情報生成部９０９と、送信処理部３２９と、送信ＲＦ部３３１と、から構成されている。
【０１５０】
ここで、図１７に示す無線通信端末９００が、図６に示す無線通信端末３００Ａと異なる点は、シンボル抽出部９０１と、ＣＱＩ測定部９０３Ａと、ＣＱＩ測定部９０３Ｂと、サブフレーム判定部９０５と、ＣＱＩメモリ部９０７と、フィードバック情報生成部９０９とである。こられの点以外は実施の形態と同様であり、図１７において、図６と共通する構成要素には同じ参照符号が付されている。また、共通する構成要素について、その説明を省略する。
【０１５１】
シンボル抽出部９０１は、ＣＱＩ測定用信号抽出部３０９から抽出されたＣＱＩ測定に用いる信号から、先頭２シンボルを除いた３シンボル目以降の領域の信号を抽出して、ＣＱＩ測定部９０３Ａに出力する。
【０１５２】
ＣＱＩ測定部９０３Ａは、シンボル抽出部９０１で抽出した３シンボル目以降の領域のＣＱＩ測定に用いる信号を入力して、実施の形態と同じ「ＲＮがバックホールとして用いるＭＢＳＦＮサブフレーム」となる場合のＣＱＩ測定を行い、測定したＣＱＩをサブフレーム判定部９０５に出力する。
【０１５３】
ＣＱＩ測定部９０３Ｂは、ＣＱＩ測定に用いる信号を入力して、全てのシンボルを用いてＣＱＩ測定を行い、測定したＣＱＩをサブフレーム判定部９０５に出力する。
【０１５４】
サブフレーム判定部９０５は、ＣＱＩ測定部９０３ＡとＣＱＩ測定部９０３Ｂとで測定したＣＱＩを比較して、ＲＮのサブフレームが通常のサブフレームであるか、又は「ＲＮがバックホールとして用いるＭＢＳＦＮサブフレーム」であるかを、判定する。そして、その判定結果とともにＣＱＩをＣＱＩメモリ部９０７に出力する。
【０１５５】
ここで、サブフレーム判定部９０５が、ＲＮのサブフレームが通常のサブフレームと判定した場合、ＣＱＩ測定部９０３ＢからのＣＱＩ測定結果をＣＱＩメモリ部９０７に出力する。一方、サブフレーム判定部９０５が、ＲＮのサブフレームが、「ＲＮがバックホールとして用いるＭＢＳＦＮサブフレーム」であると判定した場合、ＣＱＩ測定部９０３ＡからのＣＱＩ測定結果をＣＱＩメモリ部９０７に出力する。
【０１５６】
ＣＱＩメモリ部９０７は、サブフレーム判定部９０５から入力される、ＣＱＩの値と、ＲＮのサブフレームの判定結果とを記憶し、フィードバック情報生成部９０９に出力する。
【０１５７】
フィードバック情報生成部９０９は、ＣＱＩメモリ部９０７で記憶したＣＱＩとＲＮのサブフレームの判定結果を用いて、基地局７００にフィードバックするフィードバック情報を生成して、送信処理部３２９に出力する。
【０１５８】
次に、図１８を参照して、基地局７００の構成を説明する。図１８は、変形例２における、基地局７００の構成を示すブロック図である。ここで、図１８に示す基地局７００が、図７に示す基地局１００と異なる点は、ＣＱＩ情報抽出部１１９とＣＱＩメモリ部１１７に代わって、ＣＱＩ情報・判定結果抽出部７０１とＣＱＩ・判定結果メモリ部７０３がある点と、ＲＮ情報とＣＱＩ測定方法指示部１１３がない点である。これらの点以外は実施の形態と同様であり、図１８において、図７と共通する構成要素には同じ参照符号が付されている。また、共通する構成要素について、その説明を、省略する。
【０１５９】
ＣＱＩ情報・判定結果抽出部７０１は、受信処理部１２１で分離した制御情報の中から、無線通信端末９００からフィードバックされたサブフレーム情報とそのサブフレームにおけるＣＱＩを抽出し、ＣＱＩ・判定結果メモリ部７０３に出力する。
【０１６０】
ＣＱＩ・判定結果メモリ部７０３は、無線通信端末９００からフィードバックされたサブフレーム情報とそのサブフレームにおけるＣＱＩを記憶し、スケジューリング部１１５に出力する。
【０１６１】
次に、図１９を参照して、変形例２における、無線通信端末９００（ＵＥ１）のＣＱＩ測定の処理フローを説明する。図１９は、変形例２における、無線通信端末９００のＣＱＩ測定の処理フローを示す図である。
【０１６２】
ステップ（ＳＴ１０１）では、アンテナ３０１でｅＮＢからの信号を受信して、受信ＲＦ部３０５及び受信処理部３０７で受信処理を行う。
【０１６３】
ステップ（ＳＴ１０２）では、ＣＱＩ測定用信号抽出部３０９が、ステップ（ＳＴ１０１）において受信処理した信号から、ＣＱＩ測定に用いる信号を抽出する。
【０１６４】
ステップ（ＳＴ１０３）では、シンボル抽出部９０１が、ステップ（ＳＴ１０２）で抽出したＣＱＩ測定に用いる信号において、先頭２シンボルを除いた領域のシンボルを抽出する。
【０１６５】
ステップ（ＳＴ１０４−１）では、ＣＱＩ測定部９０３Ａが、ステップ（ＳＴ１０３）で抽出した信号を用いて、ＣＱＩ測定を行う。ＣＱＩ測定部９０３ＡのＣＱＩ測定結果をＣＱＩ１とする。
【０１６６】
ステップ（ＳＴ１０４−２）では、ＣＱＩ測定部９０３Ｂが、ステップ（ＳＴ１０２）で抽出したＣＱＩ測定に用いる信号において、全シンボル領域の信号を使って、ＣＱＩ測定を行う。ＣＱＩ測定部９０３ＢのＣＱＩ測定結果をＣＱＩ２とする。
【０１６７】
ステップ（ＳＴ１０５）では、サブフレーム判定部９０５が、ステップ（ＳＴ１０４−１）とステップ（ＳＴ１０４−２）とで測定したＣＱＩの測定結果であるＣＱＩ１とＣＱＩ２とを比較して、ＲＮのサブフレームが、通常のサブフレームであるか、又は、「ＲＮがバックホールとして用いるＭＢＳＦＮサブフレーム」かを、判定する。なお、判定方法は、例えば、式（１）及び式（２）を用いて判定する方法や、式（３）及び式（４）を用いて判定する方法などがある。
【０１６８】
ステップ（ＳＴ１０６−１）では、ＣＱＩメモリ部９０７は、ステップ（ＳＴ１０５）において、ＲＮのサブフレームが「ＲＮがバックホールとして用いるＭＢＳＦＮサブフレーム」と判定した場合、その判定結果とＣＱＩ１とを記憶する。
【０１６９】
ステップ（ＳＴ１０６−２）では、ＣＱＩメモリ部９０７は、ステップ（ＳＴ１０５）において、ＲＮのサブフレームが通常サブフレームと判定した場合、その判定結果とＣＱＩ２とを記憶する。
【０１７０】
ステップ（ＳＴ１０７）では、フィードバック情報生成部９０９は、ステップ（ＳＴ１０６−１）又はステップ（ＳＴ１０６−２）で記憶したサブフレーム判定結果とＣＱＩの値からフィードバック情報を生成する。
【０１７１】
ステップ（ＳＴ１０８）では、送信処理部３２９及び送信ＲＦ部３３１は、ステップ（ＳＴ１０７）で生成したフィードバック情報に対して送信処理を行い、ｅＮＢに送信する。
【０１７２】
上述のように、本実施の形態の変形例２では、ＵＥ１は、先頭２シンボルを用いて測定したｅＮＢのＣＱＩと、３シンボル目以降のシンボルを用いて測定したｅＮＢのＣＱＩとを比較して、ＲＮのサブフレームが、通常サブフレームか、又は「ＲＮがバックホールとして用いるＭＢＳＦＮサブフレーム」を判断し、ＵＥ１は、それぞれに適したｅＮＢのＣＱＩ測定を行い、ｅＮＢにフィードバックする。
そのため、ｅＮＢ配下のＵＥ１において、ＲＮからの干渉がない場合のＣＱＩを精度良く測定できる。また、ｅＮＢからＵＥ１に、ＲＮに関する情報を通知する必要がなくなるので、本実施の形態と比べて、下り回線のシグナリングのオーバヘッドを削減できるといった効果もある。
【０１７３】
なお、上記実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１７４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７５】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１７６】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１７７】
本発明を詳細にまた特定の実施態様を参照して説明したが、本発明の精神と範囲を逸脱することなく様々な変更や修正を加えることができることは当業者にとって明らかである。
【０１７８】
本出願は、２００９年５月１５日出願の日本特許出願（特願２００９−１１９１０４）、に基づくものであり、その内容はここに参照として取り込まれる。
【産業上の利用可能性】
【０１７９】
本発明に係る無線通信端末及び通信方法は、隣接セルの干渉がない状態の、自セルの回線品質を精度良く測定できるという効果を有し、基地局とデータを送受信する無線通信端末等として有用である。
【符号の説明】
【０１８０】
１００、４００、７００  基地局
１０５                  送信ＲＦ部
１０７                  送信処理部
１０９                  信号多重部
１１１                  制御情報生成部
１１３                  ＣＱＩ測定方法指示部
１１５                  スケジューリング部
１１７                  ＣＱＩメモリ部
１１９                  ＣＱＩ情報抽出部
１２１                  受信処理部
１２３                  受信ＲＦ部
２００、５００Ａ、５００Ｂ、８００  中継局
３００Ａ、３００Ｂ、６００、９００Ａ、９００Ｂ  無線通信端末
３０１                  アンテナ
３０３                  スイッチ（ＳＷ）
３０５                  受信ＲＦ部
３０７                  受信処理部
３０９                  ＣＱＩ測定用信号抽出部
３１１                  ＲＮ情報取得部
３１３                  信号抽出制御部
３１５                  サブフレーム抽出部
３１７                  制御情報取得部
３１９                  ＣＱＩ測定制御部
３２１                  シンボル抽出部
３２３                  ＣＱＩ測定部
３２５                  ＣＱＩメモリ部
３２７                  フィードバック情報生成部
３２９                  送信処理部
３３１                  送信ＲＦ部
４０１                  ＣＱＩ・サブフレームメモリ部
６０１                  高品質サブフレーム検出部
６０３                  フィードバック情報生成部
７０１                  ＣＱＩ情報・判定結果抽出部
７０３                  ＣＱＩ・判定結果メモリ部
９０１                  シンボル抽出部
９０３Ａ                ＣＱＩ測定部
９０３Ｂ                ＣＱＩ測定部
９０５                  サブフレーム判定部
９０７                  ＣＱＩメモリ部
９０９                  フィードバック情報生成部
【手続補正２】
【補正対象書類名】特許請求の範囲
【補正対象項目名】全文
【補正方法】変更
【補正の内容】
【特許請求の範囲】
【請求項１】
基地局と接続され、前記基地局とデータを送受信する無線通信端末であって、
自セルの回線品質を測定するための制御情報を含む信号を、前記基地局から受信する受信部と、
前記受信部で受信した前記信号から、前記制御情報を抽出する抽出部と、
前記基地局が送信を行っている全ての時間領域において、自セルの回線品質を測定する第１の測定部と、
前記制御情報に基づき、隣接セルを構成する他の通信局が送信を停止している時間領域において、自セルの回線品質を測定する第２の測定部と、
前記制御情報に基づき、前記第１の測定部と、前記第２の測定部とに切り替える測定制御部と、
前記測定制御部で切り替えた前記第１の測定部あるいは前記第２の測定部で測定した前記自セルの回線品質の測定結果を、前記基地局へ送信する送信部と、
を備える無線通信端末。
【請求項２】
請求項１に記載の無線通信端末であって、
前記第２の測定部は、前記制御情報に基づき、前記隣接セルを構成する中継局が信号を送信している時間領域において、前記自セルの回線品質を測定する無線通信端末。
【請求項３】
請求項２に記載の無線通信端末であって、
前記第２の測定部は、前記制御情報に基づき、前記中継局がバックホールとして用いるＭＢＳＦＮサブフレームにおいて、前記自セルの回線品質を測定する無線通信端末。
【請求項４】
請求項３に記載の無線通信端末であって、
前記第２の測定部は、前記制御情報に基づき、前記中継局がバックホールとして用いるＭＢＳＦＮサブフレームにおいて、先頭２シンボルを除いた３シンボル目以降の領域で、前記自セルの回線品質を測定する無線通信端末。
【請求項５】
請求項１に記載の無線通信端末であって、
前記第２の測定部は、前記制御情報に基づき、前記他の通信局が送信を停止している時間領域において、前記自セルの回線品質を複数回測定し、前記複数の回線品質の測定結果を平均化する無線通信端末。
【請求項６】
請求項１に記載の無線通信端末であって、
更に、前記第２の測定部で測定した前記自セルの回線品質から最も高品質な自セルの回線品質を検出する検出部をさらに備え、
前記送信部は、前記検出結果および前記検出結果に対応する時間領域の位置情報を前記基地局へ送信する無線通信端末。
【請求項７】
請求項６に記載の無線通信端末であって、
前記第２の測定部は、前記制御情報に基づき、他のセルを構成する複数の前記中継局がバックホールとして用いるＭＢＳＦＮサブフレームの先頭２シンボルを除いた３シンボル目以降の領域で、前記自セルの回線品質を測定し、
前記検出部は、前記第２の測定部で測定した前記複数の自セルの回線品質から最も高品質な自セルの回線品質を検出するし、
前記送信部は、前記検出結果および前記検出結果に対応する時間領域の位置情報を前記基地局へ送信する無線通信端末。
【請求項８】
基地局と接続され、前記基地局とデータを送受信する無線通信端末で用いられる通信方法であって、
自セルの回線品質を測定するための制御情報を含む信号を、前記基地局から受信し、
受信した前記信号から、前記制御情報を抽出し、
前記基地局が送信を行っている全ての時間領域において回線品質の測定を行う第１の測定方法と、隣接セルを構成する他の通信局が送信を停止している時間領域において回線品質の測定を行う第２の測定方法とを、前記制御情報に基づいて切替制御し、切り替えた前記第１の測定方法あるいは前記第２の測定方法で、前記自セルの回線品質を測定し、
測定した前記自セルの回線品質の測定結果を、前記基地局へ送信する、
通信方法。
【請求項９】
請求項１に記載の無線通信端末であって、
前記制御情報は、前記隣接セルを構成する他の通信局が送信を行っているか否かを示す情報であり、
前記測定制御部は、前記制御情報に基づいて、前記第１の測定部と前記第２の測定部とに切り替える無線通信端末。
【手続補正３】
【補正対象書類名】図面
【補正対象項目名】全図
【補正方法】変更
【補正の内容】
【図１】
2010131487.tif 000032
【図２】
2010131487.tif 000033
【図３】
2010131487.tif 000034
【図４】
2010131487.tif 000035
【図５】
2010131487.tif 000036
【図６】
2010131487.tif 000037
【図７】
2010131487.tif 000038
【図８】
2010131487.tif 000039
【図９】
2010131487.tif 000040
【図１０】
2010131487.tif 000041
【図１１】
2010131487.tif 000042
【図１２】
2010131487.tif 000043
【図１３】
2010131487.tif 000044
【図１４】
2010131487.tif 000045
【図１５】
2010131487.tif 000046
【図１６】
2010131487.tif 000047
【図１７】
2010131487.tif 000048
【図１８】
2010131487.tif 000049
【図１９】
2010131487.tif 000050
【図２０】
2010131487.tif 000051
【図２１】
2010131487.tif 000052
【国際調査報告】
2010131487.tif 000053
2010131487.tif 000054